(57)【要約】【課題】給電の遮断後の復帰に伴い、復帰された図柄変動の保留数がその後増加或いは減少したとき当該増加或いは減少に対応して図柄変動の保留数を表す表示態様の表示を復帰するようにした遊技機を提供する。【解決手段】主制御装置及び副制御装置４００に対する直流電源ＤＣからの給電が遮断から復帰した後、第１及び第２の特別図柄変動保留表示器１７０、１８０並びに副普通図柄変動保留表示器１９０は、特別図柄変動保留数及び普通図柄変動保留数の増減後の表示を、主制御装置からの新たな図柄変動保留数増減コマンド以外のコマンドに依ることなく当該新たな図柄変動保留数増減コマンドのみによって行うように副制御装置４００により制御される。【選択図】図５
2016209438.tif 000002
【特許請求の範囲】
【請求項１】
遊技球の入賞に伴い主図柄変動を表す図柄変動コマンドを発生する主制御手段と、
当該主制御手段からの前記図柄変動コマンドに基づき前記主図柄変動を表示する主図柄変動表示手段と、
副図柄変動を表示する副図柄変動表示手段と、
前記主制御手段からの前記図柄変動コマンドに基づき前記副図柄変動を表示するように前記副図柄変動表示手段を制御する副制御手段と、
少なくとも１つの瞬時点灯可能素子でもって構成されて、当該少なくとも１つの瞬時点灯可能素子でもって前記主図柄変動の保留数を主図柄変動保留数を表す表示態様にて表示する主図柄変動保留表示手段と、
少なくとも１つの瞬時点灯可能素子でもって構成されて、当該少なくとも１つの瞬時点灯可能素子でもって前記副図柄変動の保留数を副図柄変動保留数を表す表示態様にて表示する副図柄変動保留表示手段とを備えて、
前記主制御手段は、前記主図柄変動表示手段による前記主図柄変動の表示中に新たな遊技球が入賞したとき当該入賞球に対応する新たな主図柄変動の表示を保留するように前記図柄変動保留コマンドを前記主図柄変動表示手段に出力するとともに前記新たな遊技球の入賞に伴い前記主図柄変動保留数を増加して当該増加後の主図柄変動保留数を表す表示態様にて表示し或いは前記主図柄変動保留の消化に伴い前記主図柄変動保留数を減少して当該減少後の主図柄変動保留数を表す表示態様にて表示するように図柄変動保留数増減コマンドを前記主図柄変動保留表示手段に出力し、
前記副制御手段は、前記主制御手段からの前記図柄変動保留コマンドに基づき新たな副図柄変動の表示を保留するように前記副図柄変動表示手段を制御するとともに、前記主制御手段からの前記図柄変動保留数増減コマンドに基づき前記副図柄変動保留数を増加して当該増加後の副図柄変動保留数の表示態様にて表示し或いは前記副図柄変動の保留の消化に伴い前記副図柄変動保留数を減少して当該減少後の副図柄変動保留数を表す表示態様にて表示するように前記副図柄変動保留表示手段を制御し、
前記主制御手段及び前記副制御手段に対する電源手段の給電がその遮断後復帰した後、前記副図柄変動保留表示手段は、前記副図柄変動保留数の増減後の表示態様の表示を、前記主制御手段からの新たな図柄変動保留数増減コマンド以外のコマンドに依ることなく当該新たな図柄変動保留数増減コマンドのみによって行うように前記副制御手段により制御される遊技機。
【発明の詳細な説明】
【技術分野】
【０００１】
本発明は、パチンコ遊技機等の遊技機に関する。
【背景技術】
【０００２】
従来、例えば、パチンコ遊技機は、その遊技盤において、特別図柄変動保留表示器及び普通図柄変動保留表示器を備えたものがある。これら特別図柄変動保留表示器及び普通図柄変動保留表示器のうち、特別図柄変動保留表示器は、特別図柄変動の表示中に遊技球が始動入賞口へ入賞する毎に特別図柄変動を保留するために特別図柄変動保留数を増加すべく複数の発光ダイオードを順次点灯させるとともに、当該特別図柄変動保留数を順次消化して減少すべく点灯発光ダイオードを消灯させるように、主制御装置によって制御される。
【０００３】
また、普通図柄変動保留表示器は、特別図柄変動保留表示器の発光ダイオードの点灯または消灯に伴い、普通図柄変動を保留または消化するために普通図柄変動保留数を増加または減少させるべく、複数の発光ダイオードを、順次、点灯または消灯させるように、副制御装置により制御される。
【先行技術文献】
【特許文献】
【０００４】
【特許文献１】特開２０１１−１２５４６１
【発明の概要】
【発明が解決しようとする課題】
【０００５】
しかしながら、主制御装置及び副制御装置への電源からの給電が何らかの事由により遮断されたときには、特別図柄変動保留表示器及び普通図柄変動保留表示器がその各表示を停止してしまう。これでは、遊技者が、現状の保留状態を正しく把握することができず、円滑な遊技に支障をきたすという不具合を招く。
【０００６】
そこで、本発明は、以上のようなことに対処するため、給電の遮断後の復帰に伴い、復帰された図柄変動の保留数がその後増加或いは減少したとき当該増加或いは減少に対応して図柄変動の保留数を表す表示態様の表示を復帰するようにした遊技機を提供することを目的とする。
【課題を解決するための手段】
【０００７】
上記課題の解決にあたり、本発明に係る遊技機は、請求項１の記載によれば、
遊技球の入賞に伴い主図柄変動を表す図柄変動コマンドを発生する主制御手段（３００）と、
当該主制御手段からの上記図柄変動コマンドに基づき上記主図柄変動を表示する主図柄変動表示手段（１１０、１２０、１３０）と、
副図柄変動を表示する副図柄変動表示手段（２００）と、
主制御手段からの上記図柄変動コマンドに基づき上記副図柄変動を表示するように副図柄変動表示手段を制御する副制御手段（４００）と、
少なくとも１つの瞬時点灯可能素子でもって構成されて、当該少なくとも１つの瞬時点灯可能素子でもって上記主図柄変動の保留数を主図柄変動保留数を表す表示態様にて表示する主図柄変動保留表示手段（１４０、１５０、１６０）と、
少なくとも１つの瞬時点灯可能素子でもって構成されて、当該少なくとも１つの瞬時点灯可能素子でもって上記副図柄変動の保留数を副図柄変動保留数を表す表示態様にて表示する副図柄変動保留表示手段（１７０、１８０、１９０）とを備えて、
主制御手段は、主図柄変動表示手段による上記主図柄変動の表示中に新たな遊技球が入賞したとき当該入賞球に対応する新たな主図柄変動の表示を保留するように上記図柄変動保留コマンドを主図柄変動表示手段に出力するとともに上記新たな遊技球の入賞に伴い上記主図柄変動保留数を増加して当該増加後の主図柄変動保留数を表す表示態様にて表示し或いは上記主図柄変動保留の消化に伴い上記主図柄変動保留数を減少して当該減少後の主図柄変動保留数を表す表示態様にて表示するように図柄変動保留数増減コマンドを主図柄変動保留表示手段に出力し、
副制御手段は、主制御手段からの上記図柄変動保留コマンドに基づき新たな副図柄変動の表示を保留するように副図柄変動表示手段を制御するとともに、主制御手段からの上記図柄変動保留数増減コマンドに基づき上記副図柄変動保留数を増加して当該増加後の副図柄変動保留数の表示態様にて表示し或いは上記副図柄変動の保留の消化に伴い上記副図柄変動保留数を減少して当該減少後の副図柄変動保留数を表す表示態様にて表示するように副図柄変動保留表示手段を制御し、
主制御手段及び副制御手段に対する電源手段（ＤＣ）の給電がその遮断後復帰した後、副図柄変動保留表示手段は、上記副図柄変動保留数の増減後の表示態様の表示を、主制御手段からの新たな図柄変動保留数増減コマンド以外のコマンドに依ることなく当該新たな図柄変動保留数増減コマンドのみによって行うように副制御手段により制御される。
【０００８】
これによれば、主制御手段により駆動制御される主図柄変動保留表示手段が、少なくとも１つの瞬時点灯素子でもって構成されるとともに、副制御手段により駆動制御される副図柄変動保留表示手段が、同様に、少なくとも１つの瞬時点灯素子でもって構成されている。
【０００９】
このような前提において、副図柄変動保留表示手段は、副図柄変動保留数の増減後の表示態様の表示を、主制御手段からの新たな図柄変動保留数増減コマンド以外のコマンドに依ることなく当該新たな図柄変動保留数増減コマンドのみによって行う。従って、副図柄変動保留表示手段による図柄変動保留数の増減後の表示態様の表示が、新たな図柄変動保留数増減コマンドとは異なる他のコマンドに基づきなされることがない。その結果、上述した図柄変動保留数の増減後の表示態様の表示が常に正しくなされ得る。
【００１０】
なお、上述した主図柄変動保留数或いは副図柄変動保留数を表す表示態様とは、例えば、液晶表示手段による主図柄変動保留数或いは副図柄変動保留数の具体的な数字による表示、７セグメント素子の点灯による数字表示或いは発光ダイオードやランプの点灯数による表示をいう。
【発明の効果】
【００１１】
本発明によれば、副図柄変動保留表示手段は、副図柄変動保留数の増減後の表示態様の表示を、主制御手段からの新たな図柄変動保留数増減コマンド以外のコマンドに依ることなく当該新たな図柄変動保留数増減コマンドのみによって行う。従って、副図柄変動保留表示手段による副図柄変動保留数の増減後の表示態様の表示が、新たな図柄変動保留数増減コマンドとは異なる他のコマンドに基づきなされることがない。その結果、上述した図柄変動保留数の増減後の表示態様の表示が常に正しくなされ得る。
【００１２】
なお、上記各手段の括弧内の符号は、後述する実施形態に記載の具体的手段との対応関係を示す。
【図面の簡単な説明】
【００１３】
【図１】本発明に係るパチンコ遊技機の一実施形態を示す前面図である。
【図２】図１のパチンコ遊技機の遊技盤を示す前面図である。
【図３】図２の遊技盤を、第１副特別図柄変動保留表示器、第２副特別図柄変動保留表示器及び副普通図柄変動保留表示器と共に示す破断拡大前面図である。
【図４】当該パチンコ遊技機の電子制御システムのうちの主制御装置の詳細構成をセンサ群及び第１被駆動素子群との関係において示すブロック図である。
【図５】当該パチンコ遊技機の電子制御システムのうちの副制御装置の詳細構成を第２被駆動素子群との関係において示すブロック図である。
【図６】図４の主制御装置のＣＰＵにより実行されるタイマー割り込みプログラムを表すフローチャートである。
【図７】図６の第１始動入賞口処理ルーチンを示す詳細フローチャートである。
【図８】図６の第２始動入賞口処理ルーチンを示す詳細フローチャートである。
【図９】図６のゲート処理ルーチンを示す詳細フローチャートである。
【図１０】図６の特別図柄処理ルーチンを示す詳細フローチャートである。
【図１１】図６の普通図柄処理ルーチンを示す詳細フローチャートである。
【図１２】図４の主制御装置のＣＰＵにより実行される主電断割り込みプログラムを表すフローチャートである。
【図１３】図４の主制御装置のＣＰＵにより実行される主給電復帰割り込みプログラムを表すフローチャートの一部である。
【図１４】図４の主制御装置のＣＰＵにより実行される主給電復帰割り込みプログラムを表すフローチャートの一部である。
【図１５】図５の副制御装置の演出制御部のＣＰＵにより実行される演出制御プログラムを表すフローチャートである。
【図１６】図１５の演出表示ルーチンを表す詳細フローチャートである。
【図１７】図１５の図柄変動表示処理ルーチンを表す詳細フローチャートの一部である。
【図１８】図１５の図柄変動表示処理ルーチンを表す詳細フローチャートの一部である。
【図１９】図５の演出制御部のＣＰＵにより実行される副電断割り込みプログラムを表すフローチャートである。
【図２０】図５の演出制御部のＣＰＵにより実行される副給電復帰割り込みプログラムを表すフローチャートの一部である。
【図２１】図５の演出制御部のＣＰＵにより実行される副給電復帰割り込みプログラムを表すフローチャートの一部である。
【発明を実施するための形態】
【００１４】
以下、本発明の一実施形態について図面を参照して説明する。
【００１５】
図１は、本発明が適用されるパチンコ遊技機の一実施形態を示している。当該パチンコ遊技機は、パチンコホール内の島に立設されるもので、このパチンコ遊技機は、機枠（図示しない）と、この機枠に対し前後方向に開閉可能に支持される遊技機本体Ｂ及び前扉ＦＤとにより構成されている。
【００１６】
遊技機本体Ｂは、図２にて示すごとく、遊技盤Ｂａを備えており、この遊技盤Ｂａは、遊技機本体Ｂの枠体（図示しない）に嵌装されている。なお、遊技機本体Ｂは、上記枠体にて、上記機枠に対し前後方向に開閉可能に支持されている。
【００１７】
当該遊技盤Ｂａは、遊技板１０と、案内レール２０、環状センター構造物３０及び遊技釘群４０を備えている。案内レール２０は、遊技板１０にその前面１１（以下、遊技盤Ｂａの盤面１１ともいう）に沿い配設されており、この案内レール２０は、内側レール部２１及び外側レール部２２でもって構成されている。内側レール部２１は、外側レール部２２の内側にて遊技盤Ｂａの盤面１１の外周部に沿い配設されており、当該内側レール部２１は、その内周側において、遊技盤Ｂａの盤面１１上に遊技領域１２を形成する。
【００１８】
しかして、案内レール２０は、ハンドルＨ（図１参照）の回動操作により、球発射装置（図示しない）から発射される遊技球を内側レール部２１と外側レール部２２との間を通り案内して、遊技領域１２内に転動させる。なお、上記球発射装置は、遊技機本体Ｂの上記枠体の右下部に配設されている。また、ハンドルＨは、上記球発射装置の一構成部品として遊技機本体Ｂの上記枠体の右下部にその前面から設けられている。
【００１９】
センター構造物３０は、図２にて示すごとく、遊技板１０の中央開口部１３（遊技盤Ｂａの中央開口部１３ともいう）の外周部に盤面１１側から組み付けられている。遊技釘群４０は、多数の遊技釘４１からなるもので、これらの各遊技釘４１は、案内レール２０の内側において、センター構造物３０の左側から下側にかけて、遊技板１０にその盤面１１側から分散して打ち込まれている。しかして、遊技釘群４０によれば、案内レール２０から遊技領域１２内に転動する遊技球が、遊技盤Ｂａの盤面１１に沿い、各遊技釘４１との衝突を経て、下方へ転動する。
【００２０】
また、当該遊技盤Ｂａは、スタートチャッカー５０（以下、第１入賞口装置５０ともいう）、電動チューリップ６０（以下、第２入賞口装置６０ともいう）、スルーゲート７０、風車８０、複数の普通入賞口装置９０及びアタッカー１００（以下、大入賞口装置１００ともいう）を備えており、スタートチャッカー５０、電動チューリップ６０、スルーゲート７０、風車８０、各普通入賞口装置９０及びアタッカー１００は、図２にて示す各位置にて、遊技盤Ｂａの盤面１１に遊技領域１２内にて組み付けられている。
【００２１】
スタートチャッカー５０は、センター構造物３０の下縁中央部の直下に位置している。このスタートチャッカー５０は、始動入賞口５１（以下、第１始動入賞口５１ともいう）を備えており、当該スタートチャッカー５０は、第１始動入賞口５１への遊技球の入賞に基づき、大当たり抽選（大当たりか否かの抽選）の機会を提供するとともに、所定数の賞球を払い出す契機を提供する。
【００２２】
電動チューリップ６０は、普通電動役物としての役割を果たすべく、スタートチャッカー５０の直下に位置しており、この電動チューリップ６０は、始動入賞口６１（以下、第２始動入賞口６１ともいう）を備えている。
【００２３】
しかして、当該電動チューリップ６０は、その両羽根部材の閉鎖状態（図２にて示す状態）にて、スタートチャッカー５０の周辺から下方へ転動する遊技球の第２始動入賞口６１への入賞を規制し、また、その両羽根部材の開放状態にて、スタートチャッカー５０の周辺から下方へ転動する遊技球の第２始動入賞口６１への入賞を容易にして、当該入賞に基づき所定数の賞球の払い出しの契機を与えるとともに、スタートチャッカー５０と同様に大当たり抽選の機会を提供する。
【００２４】
ここで、遊技球のスルーゲート７０に対する通過（後述する）でもってなされる普通図柄の抽選において当選になると、当該電動チューリップ６０は、その両羽根部材を、所定の解放時間ずつ、所定回数、開放するようになっている。
【００２５】
本実施形態では、電動チューリップ６０は、その両羽根部材にて、遊技板１０にその裏面側から設けた電チューアクチュエータ６２（図４参照）により開閉駆動される。
【００２６】
なお、後述のごとく、特別図柄変動は、遊技球の第１始動入賞口５１への入賞に対する第１始動入賞口センサＳ１（図４参照）の検出出力或いは遊技球の第２始動入賞口６１への入賞に対する第２始動入賞口センサＳ２（図４参照）の検出出力に基づき、第１或いは第２の特別図柄表示器１２０或いは１３０において表示される。
【００２７】
また、遊技球がスタートチャッカー５０或いは電動チューリップ６０に入賞しても、第１或いは第２の特別図柄表示器１３０或いは１４０による特別図柄変動の表示中或いは大当たり遊技中等のために、特別図柄変動の新たな表示が不可能である場合には、第１或いは第２の主特別図柄変動保留表示器１５０或いは１６０における特別図柄変動保留数の表示が、後述のごとく、なされる。
【００２８】
スルーゲート７０は、図２にて示すごとく、センター構造物３０の左縁中央部の左側に位置しており、このスルーゲート７０は、その直上から遊技板１０の前面１１に沿い下方へ転動する遊技球に対し通過する機会を与える。これにより、当該スルーゲート７０は、その遊技球の通過に基づき、普通図柄の抽選の契機を提供する。なお、スルーゲート７０に対する遊技球の通過は、ゲートセンサＳ３（図４参照）により検出される。
【００２９】
風車８０は、スルーゲート７０の下方に位置しており、この風車８０は、遊技板１０の盤面１１に沿いスルーゲート７０或いはその周囲から下方へ転動する遊技球により衝突されたとき、回転しつつ当該遊技球を下方へ転動させる。
【００３０】
複数（３つ）の普通入賞口装置９０は、図２にて示すごとく、スタートチャッカー５０の左右両側に位置しており、左側の両普通入賞口装置９０は、その直上から下方へ転動する遊技球に対し入賞する機会を与える。また、右側の普通入賞口装置９０は、その直上から下方へ転動する遊技球に対し入賞する機会を与える。しかして、各普通入賞口装置９０は、その普通入賞口への遊技球の入賞に伴い、所定数の賞球を払い出す契機を与える。
【００３１】
アタッカー１００は、図２にて示すごとく、電動チューリップ６０の直下に位置しており、このアタッカー１００は、その大入賞口を開くことによって、遊技盤Ｂａの盤面１１に沿いスタートチャッカー５０の近傍へ転動する遊技球に対し上記大入賞口に入賞する機会を与える。また、当該アタッカー１００は、その大入賞口を閉鎖することによって、遊技球の大入賞口への入賞を規制する。なお、このアタッカー１００による大入賞口の開放は、第１始動入賞口５１への遊技球の入賞による抽選結果に基づき大当たりが成立したときになされる。なお、アタッカー１００の大入賞口の開閉は、遊技盤Ｂａの裏面に設けた大入賞口アクチュエータ（図示しない）により駆動される。
【００３２】
また、当該遊技盤Ｂａは、図２にて示すごとく、普通図柄表示器１１０、第１及び第２の特別図柄表示器１２０、１３０、普通図柄変動保留表示器１４０（以下、主普通図柄変動保留表示器１４０ともいう）並びに第１及び第２の特別図柄変動保留表示器１５０、１６０（以下、第１及び第２の主特別図柄表示器１５０、１６０ともいう）を備えており、これら普通図柄表示器１１０、第１及び第２の特別図柄表示器１２０、１３０、主普通図柄変動保留表示器１４０並びに第１及び第２の主特別図柄変動留表示器１５０、１６０は、図２から分かるように、案内レール２０の右下側にて、遊技盤Ｂａの盤面１１の右下隅角部に配設されている。本実施形態では、これら普通図柄表示器１１０、第１及び第２の特別図柄表示器１２０、１３０、主普通図柄変動保留表示器１４０並びに第１及び第２の主特別図柄変動留表示器１５０、１６０は、主制御装置３００（後述する）により駆動制御される。
【００３３】
普通図柄表示器１１０は、スルーゲート７０を通過する遊技球に対する図柄抽選の結果に基づき、当たり図柄或いはハズレ図柄を表示する。具体的には、当たり図柄は「○」により表示され、ハズレ図柄は、「×」により表示される。
【００３４】
この普通図柄表示器１１０は、当たり図柄用７セグメント発光ダイオード及びハズレ図柄用７セグメント発光ダイオードでもって、所定時間の間、スルーゲート７０に対する遊技球の通過に伴う普通図柄の抽選に伴い、当たり図柄及びハズレ図柄を交互に変動表示して、上記所定時間の経過後、上記普通図柄の抽選結果に応じて当たり図柄或いはハズレ図柄を停止表示し、遊技状態に応じて電動チューリップ６０を所定時間の間所定回数開放させる契機を提供する。
【００３５】
なお、例えば、時短遊技状態の場合、普通図柄変動の表示時間は３（秒）程度であり、普通図柄の抽選に当選した場合の電動チューリップ６０の開放時間は、３．５（秒）程度である。一方、非時短遊技状態の場合、普通図柄変動の表示時間は２９（秒）程度であり、普通図柄の抽選に当選した場合の電動チューリップ６０の開放時間は、０．２（秒）程度である。
【００３６】
第１特別図柄表示器１２０は、７セグメント発光ダイオードからなるもので、この特別図柄表示器１２０は、後述のごとく、遊技球の第１始動入賞口５１への入賞に対する第１始動入賞口センサＳ１の検出出力に基づきなされる大当たり抽選に応じて、特別図柄変動を所定時間の間表示した後、当該大当たり抽選の結果に応じた特別図柄変動を停止表示する。例えば、大当たり抽選の結果が当たりであれば、第１特別図柄表示器１２０は、当該当たりに対応した特別図柄変動を停止表示して、アタッカー１００による大入賞口の開放の契機を提供する。
【００３７】
第２特別図柄表示器１３０は、７セグメント発光ダイオードからなるもので、この第２特別図柄表示器１４０は、後述のごとく、遊技球の第２始動入賞口６１への入賞に対する第２始動入賞口センサＳ２の検出出力に基づきなされる大当たり抽選に応じて、特別図柄変動を所定時間の間表示した後、当該大当たり抽選の結果に応じた特別図柄変動を停止表示する。例えば、大当たり抽選の結果が当たりであれば、第２特別図柄表示器１４０は、当該当たりに対応した特別図柄変動を停止表示して、アタッカー１００による大入賞口の開放の契機を提供する。なお、上述の特別図柄は、通常図柄（図示しない）、確変図柄（図示しない）、当たり図柄（図示しない）及びハズレ図柄（図示しない）のいずれかからなる所定の図柄をいう。
【００３８】
本実施形態では、上述した第１及び第２の特別図柄表示器１２０、１３０による新たな特別図柄変動の表示は、第１及び第２の特別図柄表示器１２０、１３０のいずれか一方の特別図柄変動の表示中にはなされない。また、第１及び第２の特別図柄表示器１２０、１３０の一方による特別図柄変動の表示中においては、演出画像表示装置２００が、表示パネル２０１により、複数の装飾図柄の変動表示でもって、例えばリーチ演出や予告演出を行う。また、大当たり抽選の結果が当選である場合には、複数の装飾図柄が、例えば、「１１１」或いは「７７７」等の同一数字の並びでもって停止表示されて、遊技者に対し当たりを報知する契機を提供する。
【００３９】
普通図柄変動保留表示器１４０は、図２にて明らかに示すごとく、４つの普通図柄変動保留のための保留発光ダイオードからなるもので、この主普通図柄変動保留表示器１４０は、各保留発光ダイオードを、普通図柄変動の表示中或いは電動チューリップ６０の作動中にスルーゲート７０を通過する遊技球に対するゲートセンサＳ３の検出回数（遊技球の通過数）に応じて、順次、発光により点灯させる。なお、以下、「発光ダイオードが発光により点灯する」とは、「発光ダイオードが点灯する」とも称する。
【００４０】
具体的には、１個目の遊技球がスルーゲート７０を通過するとき、図２にて図示左端側の普通図柄変動保留のための保留発光ダイオードが点灯し、普通図柄変動保留数が「１」であることを表示する。また、２個目〜４個目の各遊技球が、順次、上記１個目の遊技球に続いてスルーゲート７０を通過するとき、左端側から２番目〜４番目の各普通図柄変動保留のための保留発光ダイオードが、順次、点灯し、普通図柄変動保留数が「２」〜「４」であることを表示する。
【００４１】
なお、これら普通図柄変動保留のための保留発光ダイオードの点灯は、普通図柄変動の表示中或いは電動チューリップ６０の作動中に遊技球のスルーゲート７０に対する通過をゲートセンサＳ３により検出した場合にこの検出に基づく普通図柄変動の表示を、先の普通図柄変動の表示の終了まで保留するためである。
【００４２】
第１主特別図柄変動保留表示器１５０は、図２にて示すごとく、４つの特別図柄変動保留のための保留発光ダイオードからなるもので、当該第１主特別図柄変動保留発表示器１５０は、第１及び第２の特別図柄表示器１２０、１３０のいずれか一方による特別図柄変動の表示中の場合において、遊技球の第１始動入賞口５１への入賞に対する第１始動入賞口センサＳ１の検出出力毎に特別図柄変動の表示を保留するために、各特別図柄変動保留のための保留発光ダイオードを順次点灯する。
【００４３】
具体的には、第１主特別図柄変動保留表示器１５０においては、１個目の遊技球が第１始動入賞口５１に入賞するとき、図２にて図示左端側の特別図柄変動保留のための保留発光ダイオードが点灯する。２個目〜４個目の各遊技球が、順次、上記１個目の遊技球に続いて第１始動入賞口５１に入賞するとき、左端側から２番目〜４番目の各特別図柄変動保留のための保留発光ダイオードが順次点灯する。
【００４４】
これは、遊技球の始第１始動入賞口５１への先の入賞による大当たり抽選に基づきなされた特別図柄変動の表示が第１及び第２の特別図柄表示器１２０、１３０の一方によりなされている場合に、その後の特別図柄変動の表示の保留を、第１主特別図柄変動保留表示器１５０における保留発光ダイオードの点灯でもって表示するためのものである。
【００４５】
第２主特別図柄変動保留表示器１６０は、図２にて示すごとく、４つの特別図柄変動保留のための保留発光ダイオードからなるもので、当該第２主特別図柄変動保留表示器１６０は、第１及び第２の特別図柄表示器１２０、１３０のいずれか一方による特別図柄変動の表示中において、遊技球の第２始動入賞口６１への入賞に対する第２始動入賞口センサＳ２の検出出力毎に特別図柄変動の表示を保留するために、各特別図柄変動保留のための保留発光ダイオードを順次点灯する。
【００４６】
具体的には、第２主特別図柄変動保留表示器１６０において、１個目の遊技球が第２始動入賞口６１に入賞するとき、図２にて図示左端側の特別図柄変動保留のための保留発光ダイオードが点灯する。２個目〜４個目の各遊技球が、順次、上記１個目の遊技球に続いて第２始動入賞口６１に入賞するとき、左端側から２番目〜４番目の各特別図柄保留のための保留発光ダイオードが順次点灯する。
【００４７】
これは、遊技球の第２始動入賞口６１への先の入賞による大当たり抽選に基づきなされた特別図柄変動の表示が第１及び第２の特別図柄変動表示器１２０、１３０の一方によりなされている場合に、その後の特別図柄変動の表示の保留を、第２主特別図柄変動保留表示器１６０における保留発光ダイオードの点灯でもって表示するためのものである。なお、後述のごとく、演出画像表示装置２００においても、第１及び第２の特別図柄変動保留表示器１５０、１６０による各特別図柄変動の保留が、表示されるようになっている。
【００４８】
また、当該遊技機本体Ｂは、図２或いは図３にて示すごとく、第１及び第２の特別図柄変動保留表示器１７０、１８０（以下、第１及び第２の副特別図柄変動保留表示器１７０、１８０ともいう）並びに普通図柄変動保留表示器１９０（以下、副普通図柄変動保留表示器１９０ともいう）を備えており、これら第１及び第２の副特別図柄変動留表示器１７０、１８０並びに副普通図柄変動保留表示器１９０は、図２或いは図３から分かるように、案内レール２０の内側レール部２１の上下方向中間部位に沿い遊技領域１２側にて遊技盤Ｂａの盤面１１に配設されている。
【００４９】
第１副特別図柄変動留表示器１７０は、３つの特別図柄変動保留のための保留発光ダイオード１７１、１７２からなるもので、これら保留発光ダイオード１７１、１７２は、図３にて示すごとく、左右方向に並んで配置されている。
【００５０】
第１副特別図柄変動留表示器１７０は、保留発光ダイオード１７１の間欠発光による点滅でもって、「当たり」を表示し、また、保留発光ダイオード１７１の発光停止による消灯でもって、「はずれ」を表示する。なお、以下、「発光ダイオードが間欠発光により点滅する」とは、「発光ダイオードが点滅する」と称する。また、「発光ダイオードが発光停止により消灯する」ということは、「発光ダイオードが消灯する」と称する。
【００５１】
また、当該第１副特別図柄変動留表示器１７０は、両保留発光ダイオード１７２により、次のような態様でもって、特別図柄変動保留数を表示する。
【００５２】
即ち、当該第１副特別図柄変動留表示器１７０においては、両保留発光ダイオード１７２のうち図３にて図示左側に位置する保留発光ダイオード１７２（以下、左側保留発光ダイオード１７２ともいう）の点灯及び右側に位置する保留発光ダイオード１７２（以下、右側保留発光ダイオード１７２ともいう）の消灯でもって、特別図柄変動保留数が「１」であることを表示する。
【００５３】
また、当該第１副特別図柄変動留表示器１７０においては、左右両側保留発光ダイオード１７２の点灯でもって、特別図柄変動保留数が「２」であることを表示するとともに、左側保留発光ダイオード１７２の点滅及び右側保留発光ダイオード１７２の点灯でもって、特別図柄変動保留数が「３」であることを表示する。さらに、左右両側保留発光ダイオード１７２の点滅でもって、特別図柄変動保留数が「４」であることを表示する。
【００５４】
第２副特別図柄変動留表示器１８０は、図３にて示すごとく、第２副特別図柄変動留表示器１７０の下側に配置されているもので、当該第２副特別図柄変動留表示器１８０は、３つの特別図柄変動保留のための保留発光ダイオード１８１、１８２を、図３にて示すごとく、左右方向に配列して構成されている。
【００５５】
当該第２副特別図柄変動留表示器１８０は、保留発光ダイオード１８１の点滅でもって、「当たり」を表示し、また、保留発光ダイオード１８１の消灯でもって、「はずれ」を表示する。
【００５６】
また、当該第２副特別図柄変動留表示器１８０は、両保留発光ダイオード１８２により、次のような態様でもって、特別図柄変動保留数を表示する。
【００５７】
即ち、当該第２副特別図柄変動留表示器１８０においては、両保留発光ダイオード１８２のうち図３にて図示左側に位置する保留発光ダイオード１８２（以下、左側保留発光ダイオード１８２ともいう）の点灯及び右側に位置する保留発光ダイオード１８２（以下、右側保留発光ダイオード１８２ともいう）の消灯でもって、特別図柄変動保留数が「１」であることを表示する。
【００５８】
また、当該第２副特別図柄変動留表示器１８０においては、左右両側保留発光ダイオード１８２の点灯でもって、特別図柄変動保留数が「２」であることを表示するとともに、左側保留発光ダイオード１８２の点滅及び右側保留発光ダイオード１８２の点灯でもって、特別図柄変動保留数が「３」であることを表示する。さらに、左右両側保留発光ダイオード１８２の点滅でもって、特別図柄変動保留数が「４」であることを表示する。
【００５９】
また、副普通図柄変動保留表示器１９０は、図３にて示すごとく、第２副特別図柄変動保留表示器１８０の下側に配置されている。当該副普通図柄変動保留表示器１９０は、３つの副普通図柄変動保留のための保留発光ダイオード１９１、１９２からなるもので、当該副普通図柄変動保留表示器１９０は、保留発光ダイオード１９１の点滅でもって、「当たり」を表示し、保留発光ダイオード１９１の消灯でもって、「はずれ」を表示する。
【００６０】
また、当該副普通図柄変動保留表示器１９０は、両保留発光ダイオード１９２により、次のような態様でもって、普通図柄変動保留数を表示する。
【００６１】
即ち、当該副普通図柄変動保留表示器１９０においては、両保留発光ダイオード１９２のうち図３にて図示左側に位置する保留発光ダイオード１９２（以下、左側保留発光ダイオード１９２ともいう）の点灯及び右側に位置する保留発光ダイオード１９２（以下、右側保留発光ダイオード１９２ともいう）の消灯でもって、普通図柄変動保留数が「１」であることを表示する。
【００６２】
また、当該副普通図柄変動留表示器１９０においては、左右両側保留発光ダイオード１９２の点灯でもって、普通図柄変動保留数が「２」であることを表示するとともに、左側保留発光ダイオード１９２の点滅及び右側保留発光ダイオード１９２の点灯でもって、普通図柄変動保留数が「３」であることを表示する。さらに、左右両側保留発光ダイオード１９２の点滅でもって、普通図柄変動保留数が「４」であることを表示する。
【００６３】
本実施形態において、これら第１及び第２の副特別図柄変動保留表示器１７０、１８０並びに副普通図柄変動保留表示器１９０は、副制御装置４００（後述する）により駆動制御される。
【００６４】
また、当該遊技機本体Ｂは、図２にて示すごとく、演出画像表示装置２００、装飾図柄変動保留表示器２１０及び可動演出装置２７０を備えている。
【００６５】
演出画像表示装置２００は、表示パネル２０１と、表示駆動回路２０２（図５参照）とを備えている。表示パネル２０１は、液晶パネルからなるもので、この表示パネル２０１は、遊技板１０にその裏面側外周部に沿い装着してなる環状の裏ケーシング（図示しない）にその中央穴部を通して遊技板１０の中央開口部１３を臨むように組み付けられている。
【００６６】
しかして、上述のように構成した演出画像表示装置２００においては、表示パネル２０１が、遊技の進行に伴い、画像制御部４００ｃ（後述する）による制御のもとに、表示駆動回路２０２により駆動されて、例えば、大当たり抽選の抽選結果に応じて複数の装飾図柄を変動表示したり、或いはキャラクタの登場による予告演出を変動表示する等の種々の演出表示を行う。
【００６７】
装飾図柄変動保留表示器２１０は、センター構造物３０の内周中央下部に設けられている。当該装飾図柄変動保留表示器２１０は、第１主特別図柄変動保留表示器１５０に対応するもので、この装飾図柄変動保留表示器２１０は、図２にて示すごとく、４つの装飾図柄変動保留のための保留発光ダイオード２１１でもって構成されている。しかして、当該装飾図柄変動保留表示器２１０は、第１主特別図柄変動保留表示器１５０の各保留発光ダイオードの点灯或いは消灯に伴い、各保留発光ダイオード２１１を点灯或いは消灯するように、ランプ制御部４００ｄ（後述する）により制御されるようになっている。
【００６８】
ここで、装飾図柄変動保留表示器２１０において、４つの保留発光ダイオード２１１のうち、図２にて左端側に位置する保留発光ダイオード２１１が、第１主特別図柄変動保留表示器１５０の４つの保留発光ダイオードのうちの左端側保留発光ダイオードに対応する。また、装飾図柄変動保留表示器２１０において上述の左端側に位置する保留発光ダイオード２１１から順次右側に位置する各保留発光ダイオード２１１が、それぞれ、第１主特別図柄変動保留表示器１５０において上述の左端側保留発光ダイオードから順次右側に位置する各保留発光ダイオードに対応する。このことは、装飾図柄変動保留表示器２１０が第１主特別図柄変動保留表示器１５０の特別図柄変動の表示の保留に対応して装飾図柄変動の表示を保留することを意味する。
【００６９】
可動演出装置２７０は、図２にて示すごとく、センター構造物３０の右側部に配設されており、当該可動演出装置２７０は、その演出作動に伴い、遊技盤Ｂａの盤面１１の前側の演出位置に傾動し、その復帰作動に伴い、演出位置から図２にて示す位置（格納位置）に復帰する。
【００７０】
前扉ＦＤは、遊技機本体Ｂの枠体とともに、前後方向に開閉可能に上記機枠に支持されており、この前扉ＦＤは、図１にて示すごとく、前枠ＦＤ１の中空部に窓ガラスＦＤ２を嵌め込んで構成されている。当該前扉ＦＤは、演出ボタンスイッチＳＷ、枠ランプＦＬ及び両スピーカＳＰを備えている。
【００７１】
演出ボタンスイッチＳＷは、前枠ＦＤ１の中空部の下縁部に配設されており、この演出ボタンスイッチＳＷは、演出画像表示装置２００に所定の演出表示を要求するとき、遊技者により押動操作される。枠ランプＦＬは、前枠ＦＤ１の内周部に沿い配設されており、この枠ランプＦＬは、所定の遊技状態に対応して点滅パターンや異なる発光色等でもって種々の演出を行う。両スピーカＳＰは、前枠ＦＤ１の左右両側上部に埋設されており、当該両スピーカＳＰは、楽曲、音声や効果音等を発する種々の演出を行う。
【００７２】
次に、上記パチンコ遊技機の電子制御システムについて説明する。当該電子制御システムは、図４或いは図５にて示すごとく、センサ群Ｓ、主制御装置３００及び副制御装置４００を備えており、センサ群Ｓは、図４にて示すごとく、第１始動入賞口センサＳ１、第２始動入賞口センサＳ２、ゲートセンサＳ３、各普通入賞口センサＳ４及び大入賞口センサＳ５でもって構成されている。
【００７３】
第１始動入賞口センサＳ１は、スタートチャッカー５０の第１始動入賞口５１内に設けられており、この第１始動入賞口センサＳ１は、第１始動入賞口５１内に入賞する遊技球毎に当該遊技球の入賞を検出する。
【００７４】
第２始動入賞口センサＳ２は、電動チューリップ６０の第２始動入賞口６１内に設けられており、この第２始動入賞口センサＳ２は、電動チューリップ６０を介しその第２始動入賞口６１に入賞する遊技球毎に当該遊技球の入賞を検出する。
【００７５】
ゲートセンサＳ３は、スルーゲート７０内に設けられており、このゲートセンサＳ３は、スルーゲート７０を通過する遊技球毎に当該遊技球の通過を検出する。各普通入賞口センサＳ４は、各対応の普通入賞口装置９０内に設けられており、当該各普通入賞口センサＳ４は、それぞれ、各対応の普通入賞口装置９０内に入賞する遊技球毎に、当該各遊技球の入賞を検出する。大入賞口センサＳ５は、アタッカー１００の大入賞口内に設けられており、この大入賞口センサＳ５は、上記大入賞口内への遊技球の入賞毎に当該遊技球の入賞を検出する。
【００７６】
主制御装置３００は、図４及び図５から分かるように、センサ群Ｓ、第１被駆動素子群ＤＲＶ１及び副制御装置４００の間に接続されており、当該主制御装置３００は、直流電源ＤＣ（図５参照）から当該パチンコ遊技機への給電に伴い作動状態におかれる。本実施形態では、直流電源ＤＣは、上記パチンコホール内に付設してある商用電源からの交流電圧を直流電圧に変換する。なお、直流電源ＤＣからの給電遮断は、当該直流電源ＤＣの故障或いは上記商用電源からの停電等の給電遮断でもって発生する。
【００７７】
当該主制御装置３００は、マイクロコンピュータからなるもので、この主制御装置３００は、図４にて示すごとく、バスライン３１０と、このバスライン３１０を介し相互に接続してなる入力側インターフェース３２０、各出力側インターフェース３３０、３４０、３５０、ＣＰＵ３６０、ソフトタイマー３７０、ＲＯＭ３８０、ＲＡＭ３９０及びバックアップメモリ３９０ａを備えている。なお、本実施形態において、以下、入力側インターフェースは、Ｉ／Ｆといい、また、出力側インターフェースは、Ｏ／Ｆという。
【００７８】
本実施形態では、ソフトタイマー３７０は、第１タイマー部、第２タイマー部及び第３タイマー部からなるもので、第１〜第３のタイマー部（以下、第１〜第３の主タイマー部ともいう）は、それぞれ、当該パチンコ遊技機への電源投入（上記商用電源から直流電源ＤＣを介する給電）に伴う主制御装置３００の作動開始と同時にリセットされて計時を開始し、この開始後、４（ｍｓ）の経過毎に、第１〜第３のパルス信号を発生し、バスライン３１０を介してＣＰＵ３６０に出力する。
【００７９】
しかして、主制御装置３００は、ＣＰＵ３６０により、ソフトタイマー３７０の第１主タイマー部からの第１パルス信号の発生ごとに、図６にて示すフローチャートに従いタイマー割り込みプログラムを実行し、上記第２主タイマー部からの第２パルス信号の発生ごとに、図１２にて示すフローチャートに従い主電断割り込みプログラムを実行し、また、直流電源ＤＣからの給電復帰に伴い、作動状態に復帰して、上記第３主タイマー部からの第３パルス信号の発生ごとに、図１３にて示すフローチャートに従い主給電復帰プログラムの実行を行う。
【００８０】
ここで、上述のタイマー割り込みプログラムの実行中において、主制御装置３００は、ＣＰＵ３６０により、センサ群Ｓからの出力に基づき、第１被駆動素子群ＤＲＶ１及び副制御装置４００の制御に要する種々の演算処理を行う。この演算処理の過程において、主制御装置３００は、ＣＰＵ３６０にて、ＲＯＭ３８０の記憶データ、ＲＡＭ３９０の一時的記憶データ、バックアップメモリ３９０ａのバックアップデータ或いはＩ／Ｆ３２０を介するセンサ群Ｓからの出力等を、バスライン３１０を通し入力されて、種々の演算処理を行い、各Ｏ／Ｆ３３０〜３５０を介する第１被駆動素子群ＤＲＶ１及び副制御装置４００への出力処理をする。
【００８１】
また、主制御装置３００は、ＣＰＵ３６０により、ソフトタイマー３７０の第２タイマー部からの第２パルス信号の発生ごとに、図１２にて示すフローチャートに従い主電断割り込みプログラムを実行し、第１特別図柄変動保留中、第２特別図柄変動保留中或いは普通図柄変動保留中か否かの判定、各保留数のバックアップ処理及び電断か否かの判定の処理を行う。なお、上述した第１特別図柄変動保留とは、第１主特別図柄変動保留表示器１５０による特別図柄変動保留をいい、また、上述した第２特別図柄変動保留とは、第２主特別図柄変動保留表示器１６０による特別図柄変動保留をいう。
【００８２】
また、主制御装置３００は、ＣＰＵ３６０により、ソフトタイマー３７０の第３タイマー部からの第３パルス信号の発生ごとに、図１３にて示すフローチャートに従い主給電復帰割り込みプログラムを実行し、第１、第２の主特別図柄変動保留表示器及び主普通図柄変動保留表示器の復帰処理、各バックアップ保留数の表示処理並びに第１或いは第２の始動入賞口への入賞、増コマンドや減コマンドのセット処理を行う。
【００８３】
ＲＯＭ３８０には、上述したタイマー割り込みプログラム、主電断割り込みプログラム及び主給電復帰割り込みプログラムが、ＣＰＵ３６０により読み出し可能に予め記憶されている。また、ＲＯＭ３８０には、大当たり乱数テーブル、大当たり図柄乱数テーブル、リーチ乱数テーブル及び当たり乱数テーブルが、ＣＰＵ３６０により読み出し可能に予め記憶されている。
【００８４】
また、バックアップメモリ３９０ａは、不揮発メモリからなるもので、当該バックアップメモリ３９０ａは、主制御装置３００においてＣＰＵ３６０により処理される種々のデータ（特別図柄変動保留数、普通図柄変動保留数等のデータ）を、不揮発的に記憶するようになっている。
【００８５】
また、第１被駆動素子群ＤＲＶ１は、図４にて示すごとく、上述した電チューアクチュエータ６２、普通図柄表示器１１０、第１及び第２の特別図柄表示器１２０、１３０、主普通図柄変動保留表示器１４０並びに第１及び第２の主特別図柄変動保留表示器１５０、１６０でもって構成されている。
【００８６】
副制御装置４００は、図５にて示すごとく、払い出し制御部４００ａ、演出制御部４００ｂ、画像制御部４００ｃ及びランプ制御部４００ｄでもって構成されており、当該副制御装置４００は、主制御装置３００と第２被駆動素子群ＤＲＶ２及び演出ボタンスイッチＳＷとの間に接続されている。
【００８７】
ここで、第２被駆動素子群ＤＲＶ２は、払い出しモータＭ、表示駆動回路２０２、両スピーカＳＰ、第１及び第２の副特別図柄変動保留表示器１７０、１８０、副普通図柄変動保留表示器１９０及び装飾図柄変動保留表示器２１０でもって構成されている。
【００８８】
払い出し制御部４００ａは、マイクロコンピュータからなるもので、この払い出し制御部４００ａは、バスライン４１０と、このバスライン４１０を介し相互に接続してなるＩ／Ｆ４１１、Ｏ／Ｆ４１２、ＣＰＵ４１３、ＲＯＭ４１４及びＲＡＭ４１５を備えている。
【００８９】
しかして、当該払い出し制御部４００ａは、ＣＰＵ４１３により、ＲＯＭ４１４に予め記憶済みの所定の払い出し制御プログラムを、所定のフローチャート（図示しない）に従い実行し、この実行中において、Ｉ／Ｆ４０及びバスライン４１０を介する主制御装置３００からの払い出しコマンド制御のもとに、払い出しモータＭの駆動制御を行う。これに伴い、払い出しモータＭは、遊技機本体Ｂの球タンク（図示しない）から球払い出し系統（図示しない）内に進入する遊技球を、所定個数ずつ払い出すように作動する。なお、払い出しモータＭは、上記球払い出し系統内に配設されている。
【００９０】
演出制御部４００ｂは、主制御装置３００からのコマンド制御のもとに、画像制御部４００ｃを介し、演出画像表示装置２００の表示駆動回路２０２及び両スピーカＳＰを共に或いは選択的に駆動制御し、また、ランプ制御部４００ｄを介し、第１及び第２の副特別図柄変動保留表示器１７０，１８０、副普通図柄変動保留表示器１９０及び装飾図柄変動保留表示器２１０を共に或いは選択的に駆動制御するものである。
【００９１】
ここで、当該演出制御部４００ｂは、マイクロコンピュータからなるもので、この演出制御部４００ｂは、バスライン４２０と、このバスライン４２０を介し相互に接続してなるＩ／Ｆ４２１、Ｉ／Ｆ４２２、Ｉ／Ｏ／Ｆ４２３、Ｏ／Ｆ４２４、ＣＰＵ４２５、ＲＯＭ４２６、ＲＡＭ４２７及びソフトタイマー４２８を備えている。なお、Ｉ／Ｏ／Ｆ４２３は、入出力側インターフェースを表す。
【００９２】
本実施形態において、ソフトタイマー４２８は、第１及び第２のタイマー部（第１及び第２の副タイマー部ともいう）からなるもので、第１及び第２の副タイマー部は、それぞれ、当該パチンコ遊技機の電源投入に伴う主制御装置３００の作動開始と同時にリセットされて計時を開始し、この開始後、４（ｍｓ）の経過毎に、第１及び第２の副タイマー部からの第１及び第２のパルス信号を発生し、バスライン４２０を介してＣＰＵ４２５に出力する。
【００９３】
しかして、当該演出制御部４００ｂは、ＣＰＵ４２５により、演出制御プログラム６０００を、上記第１副タイマー部からの第１パルス信号の発生毎に図１５にて示すフローチャートに従い実行する。この実行中において、当該演出制御部４００ｂは、Ｉ／Ｆ４２１及びバスライン４２０を介する主制御装置３００からのコマンド制御、Ｉ／Ｏ／Ｆ４２３を介する画像制御部４００ｃからの要求やＩ／Ｆ４２２を介する演出ボタンスイッチＳＷの押動操作出力のもとに、Ｉ／Ｏ／Ｆ４２３やＯ／Ｆ４２４を介し画像制御部４００ｃやランプ制御部４００ｄを制御するように種々の演算処理を行う。
【００９４】
また、当該演出制御部４００ｂは、ＣＰＵ４２５により、ソフトタイマー４２８の第１副タイマー部からの第１パルス信号の発生ごとに、図１９にて示すフローチャートに従い副電断割り込みプログラムを実行し、また、直流電源ＤＣからの給電復帰に伴い、作動状態に復帰して、上記第２副タイマー部からの第２パルス信号の発生ごとに、図２０及び図２１にて示すフローチャートに従い副給電復帰割り込みプログラムの実行を行う。なお、上述した演出制御プログラム、副電断割り込みプログラム及び副給電復帰割り込みプログラムは、ＣＰＵ４２５により読み出し可能にＲＯＭ４２６に予め記憶されている。
【００９５】
画像制御部４００ｃは、マイクロコンピュータからなるもので、この画像制御部４００ｃは、バスライン４３０と、このバスライン４３０を介し相互に接続してなるＩ／Ｏ／Ｆ４３１、Ｏ／Ｆ４３２、ＣＰＵ４３３、ＲＯＭ４３４及びＲＡＭ４３５を備えている。
【００９６】
しかして、当該画像制御部４００ｃは、ＣＰＵ４３３により、ＲＯＭ４３４に予め記憶した画像表示制御プログラムを、所定のフローチャート（図示しない）に従い実行し、この実行中において、演出処理部４００ｂからのコマンド制御に基づき、演出画像表示装置２００の表示駆動回路２０２及び両スピーカＳＰを共に或いは選択的に駆動制御するに要する種々の演算処理をする。
【００９７】
ランプ制御部４００ｄは、マイクロコンピュータからなるもので、このランプ制御部４００ｄは、バスライン４４０と、このバスライン４４０を介し相互に接続してなるＩ／Ｆ４４１、Ｏ／Ｆ４４２、ＣＰＵ４４３、ＲＯＭ４４４及びＲＡＭ４４５を備えている。
【００９８】
しかして、当該ランプ制御部４００ｄは、ＣＰＵ４４３により、ＲＯＭ４４４に予め記憶したランプ制御プログラムを、所定のフローチャート（図示しない）に従い実行し、この実行中において、演出処理部４００ｂからのコマンド制御に基づき、第１及び第２の副特別図柄変動保留表示器１７０、１８０、副普通図柄変動保留表示器１９０及び装飾図柄変動保留表示器２１０を共に或いは選択的に駆動制御するに要する種々の演算処理をする。
【００９９】
以上のように構成した本実施形態において、上記パチンコ遊技機が直流電源ＤＣからの給電により遊技可能な作動状態になると、主制御装置３００が、副制御装置４００とともに、作動状態になる。これに伴い、主制御装置３００のソフトタイマー３７０がその第１〜第３の主タイマー部にてリセットされるとともに、演出制御部４００ｂのソフトタイマー４２８が、その第１及び２の副タイマー部にてリセットされる。
【０１００】
これに伴い、上記第１〜第３の主タイマー部が、それぞれ、計時を開始し、この開始後４（ｍｓ）の経過毎に、第１〜第３のパルス信号を発生する。このため、主制御装置３００は、ソフトタイマー３７０の第１主タイマー部からの第１パルス信号の発生毎に、ＣＰＵ３６０により、図６のフローチャートに従い上記タイマー割り込みプログラムを繰り返し実行し、ソフトタイマー３７０の第２主タイマー部からの第２パルス信号の発生毎に、ＣＰＵ３６０により、図１２のフローチャートに従い上記主電断割り込みプログラムを繰り返し実行し、また、主制御装置３００に対する直流電源ＤＣからの給電の回復を前提として、ソフトタイマー３７０の第３主タイマー部からの第３パルス信号の発生毎に、ＣＰＵ３６０により、図１３及び図１４のフローチャートに従い上記主給電復帰割り込みプログラムを繰り返し実行する。
【０１０１】
また、副制御装置４００の作動開始に伴い、払い出し制御部４００ａ、演出制御部４００ｂ、画像制御部４００ｃ及びランプ制御部４００ｄが、共に、作動し始める。すると、払い出し制御部４００ａは、そのＣＰＵ４１３により、上記払い出し制御プログラムの実行を開始し、演出制御部４００ｂは、ＣＰＵ４２５により、演出制御プログラム６０００の実行を図１５のフローチャートに従い開始し、ソフトタイマー４２８の第１副タイマー部からの第１パルス信号の発生毎に副電断割り込みプログラムを図１９のフローチャートに従い開始するとともに、副制御装置４００に対する直流電源ＤＣからの給電の復帰を前提として、ソフトタイマー４２８の第２副タイマー部からの第２パルス信号の発生毎に副給電復帰割り込みプログラムを図２０及び図２１のフローチャートに従い開始する。
【０１０２】
また、画像制御部４００ｃが、その作動開始に伴い、ＣＰＵ４３３により、上記画像表示制御プログラムの実行を開始し、さらに、ランプ制御部４００ｄが、その作動開始に伴い、ＣＰＵ４４３により、上記ランプ制御プログラムの実行を開始する。
【０１０３】
まず、主制御装置３００において、ソフトタイマー３７０が、その第１主タイマー部にて、最初の第１パルス信号を発生すると、上記タイマー割り込みプログラムは、上記最初の第１パルス信号に基づく割り込みにより、スタートステップにて実行開始した後、第１始動入賞口処理ルーチン５００以降に進む（図６図参照）。
【０１０４】
現段階では、遊技球の第１或いは第２の始動入賞口５１或いは６１への遊技球の入賞やスルーゲート７０の遊技球の通過はないことから、上記タイマー割り込みプログラムは、第１始動入賞口処理ルーチン５００、第２始動入賞口処理ルーチン６００、ゲート処理ルーチン７００及び賞球処理ルーチン８００を通り特別図柄処理ルーチン９００（図６及び図１０参照）に進む。
【０１０５】
なお、この処理過程において、第１始動入賞口処理ルーチン５００では、図７のステップ５１０にてＮＯと判定され、第２始動入賞口処理ルーチン６００では、図８のステップ６１０にてＮＯと判定され、ゲート処理ルーチン７００では、図９のステップ７１０にてＮＯと判定される。
【０１０６】
上述のようにタイマー割り込みプログラムが特別図柄処理ルーチン９００に進むと、この特別図柄処理ルーチン９００において、現段階では、未だ遊技者による遊技は開始されておらず、遊技状態が大当たり中、特別図柄変動中のいずれでもない。従って、各ステップ９１０及びにおける判定は順次ＮＯとなる。
【０１０７】
また、現段階では、遊技球の第１始動入賞口５１及び第２始動入賞口６１への各入球は未だ発生していないことから、第１及び第２の特別図柄変動保留数Ｕａ、Ｕｂ（後述する）は零のままである。従って、各ステップ９３０及び９４０における判定もＮＯとなる。これに伴い、上記タイマー割り込みプログラムは、次の普通図柄処理ルーチン１０００（図６及び図１１参照）に進む。
【０１０８】
この普通図柄処理ルーチン１０００においては、普通図柄変動の表示中でないことから、ステップ１１００においてＮＯと判定される。さらに、現段階では遊技球によるスルーゲート７０の通過もないことから、通過保留数Ｇ＝０であることに基づき、１２００における判定もＮＯとなる。これに伴い、上記タイマー割り込みプログラムは、現段階では、上述のごとく未だ遊技がなされていないことから、次の大入賞口処理ルーチン２０００、電チュー処理ルーチン３０００及び出力処理ルーチン５０００（図１５参照）に順次進む。
【０１０９】
また、主制御装置３００において、ソフトタイマー３７０が、その第２主タイマー部にて、最初の第１パルス信号を発生すると、図１２のフローチャートに従う主電断割り込みプログラムの実行のもと、現段階では、第１及び第２の特別図柄変動保留表示中及び普通図柄変動保留表示中のいずれでもないことから、ステップ５０１０、５０４０及び５０５０において、順次、ＮＯと判定される。
【０１１０】
なお、現段階では、主制御装置３００に対する直流電源ＤＣの給電遮断（断電）は発生しておらず、主制御装置３００に対する直流電源ＤＣからの給電が維持されている。このため、主制御装置３００では、図１３及び図１４のフローチャートに従う主給電復帰割り込みプログラムの実行はなされない。
【０１１１】
また、副制御装置４００の演出制御部４００ｂが、その作動状態において、ＣＰＵ４２５により、演出制御プログラムを図１５のフローチャートに従い実行し、各種入力処理ルーチン６１００の処理を行う。現段階では、当該パチンコ遊技機による遊技者の遊技が開始されていないことから、主制御装置３００からの演出表示データの受信はない。このため、各種入力処理ルーチン６１００の処理が終了され、次の演出表示処理ルーチン６２００の処理がなされる。
【０１１２】
この処理では、上述のごとく、当該パチンコ遊技機による遊技者の遊技が開始されていないことから、主制御装置３００からの演出表示データが演出制御部４００ｂにおいて受信されていない。このため、図１６のステップ６２１０にてＮＯとの判定がなされる。
【０１１３】
ついで、図柄変動表示処理ルーチン６３００（図１５、図１７及び図１８参照）の処理に移る。現段階では、上述のごとく、当該パチンコ遊技機による遊技者の遊技が開始されていないことから、主制御装置３００からの第１〜第３の増コマンド及び第１〜第３の減コマンドの受信は演出制御部４００ｂにおいてなされていない。
【０１１４】
このため、演出制御部４００ｂは、ＣＰＵ４２５により、図１７の各ステップ６３１０、６３２０及び６３３０並びに図１８の各ステップ６３４０、６３５０及び６３６０において、順次、ＮＯと判定する。これに伴い、図柄変動表示処理ルーチン６３００の処理が終了する。
【０１１５】
また、ソフトタイマー４２８が、その第１副タイマー部にて、最初の第１パルス信号を発生すると、現段階では、副制御装置４００に対する直流電源ＤＣからの給電が維持されていることから、断電は成立していない。このため、、演出制御部４００ｂは、ＣＰＵ４２５により、図１９の副電断割り込みプログラムのステップ７１００にてＮＯと判定する。
【０１１６】
なお、現段階では、副制御装置４００に対する直流電源ＤＣの断電は発生しておらず、副制御装置４００に対する直流電源ＤＣからの給電が維持されている。このため、副制御装置４００の演算処理部４００ｂでは、図２０及び図２１のフローチャートに従う副給電復帰割り込みプログラムの実行はなされていない。
【０１１７】
しかして、ソフトタイマー３７０が、その第１主タイマー部にて、上記最初の第１パルス信号に後続して、第１パルス信号を発生すると、主制御装置３００は、ＣＰＵ３６０により、上記タイマー割り込みプログラムを、上述と同様に、第１始動入賞口処理ルーチン５００から出力処理ルーチン４０００にかけて実行する。
【０１１８】
以後、ソフトタイマー３７０が、その第１主タイマー部にて、第１パルス信号を順次発生する毎に、即ち、主制御装置３００の作動開始後４（ｍｓ）の経過毎に、上記タイマー割り込みプログラムが割り込み実行される。そして、この割り込み実行毎に、第１始動入賞口処理ルーチン５００〜出力処理ルーチン４０００の処理が上述と同様に繰り返される。
【０１１９】
また、ソフトタイマー３７０が、その第２主タイマー部にて、上記最初の第２パルス信号に後続して、第２パルス信号を発生すると、主制御装置３００は、ＣＰＵ３６０により、上記主電断割り込みプログラムを、上述と同様にして、各ステップ５０１０、５０４０、５０６０におけるＮＯとの判定を行う。
【０１２０】
以後、ソフトタイマー３７０が、その第２主タイマー部にて、第２パルス信号を順次発生する毎に、即ち、主制御装置３００の作動開始後４（ｍｓ）の経過毎に、上記主電断割り込みプログラムが割り込み実行される。そして、この割り込み実行毎にステップ５０１０、５０４０、５０６０におけるＮＯとの判定が上述と同様に繰り返される。なお、上述と同様に、現段階では、直流電源ＤＣから主制御装置３００への給電は維持されていることから、図１３及び図１４のフローチャートに従う主給電復帰プログラムの実行はなされない。
【０１２１】
以上のような状態において、遊技者が、遊技球の払い出しを受けて上記パチンコ遊技機による遊技を開始すると、当該パチンコ遊技機が遊技作動モードにおかれる。以下、この遊技作動モードを、主制御装置側遊技作動モード及び副制御装置側遊技作動モードに分けて説明する。
１．主制御装置側遊技作動モード
上述のように遊技者が、遊技を開始するにあたり、上記パチンコ遊技機のハンドルＨを回動操作すれば、遊技球が、順次、上記球発射装置により案内レール２０を通り遊技領域１２内に発射される。なお、このような段階においても、上記タイマー割り込みプログラムは、ソフトタイマー３７０の第１主タイマー部からの第１パルス信号の発生毎に、上述と同様に、繰り返し割り込み実行される。
（１）第１始動入賞口処理
上記タイマー割り込みプログラムが第１始動入賞口処理ルーチン５００（図６及び図７参照）に進むと、当該第１始動入賞口処理ルーチン５００の処理は、スタートチャッカー５０の第１始動入賞口５１への遊技球の入賞に基づく大当たりの抽選の機会を形成するために、次のようになされる。
【０１２２】
上述のように遊技領域１２内に順次案内される遊技球の１つがスタートチャッカー５０の第１始動入賞口５１に入賞すると、当該遊技球の入賞が第１始動入賞口センサＳ１により検出される。
【０１２３】
このとき、上記タイマー割り込みプログラムが第１始動口処理ルーチン５００のステップ５１０に進んでおれば、このステップ５１０において、第１始動入賞口センサＳ１の検出出力に基づき、遊技球の第１始動入賞口５１への入賞として、ＹＥＳと判定される。然る後、Ｕａ＜４か否かが、ステップ５２０において判定される。なお、Ｕａは、第１始動入賞口５１への遊技球の入賞に伴い特別図柄変動の表示を保留する数（以下、第１特別図柄変動保留数という）を表す。また、ステップ5１０では、第１始動入賞口５１への遊技球の入賞がなければ、ＮＯと判定される。
【０１２４】
現段階では、Ｕａ＝０であるとすれば、ステップ５２０においてＹＥＳと判定されて、次のステップ５２１において、第１特別図柄変動保留数Ｕａが次の式（１）に基づき算出される。
【０１２５】
Ｕａ＝Ｕａ＋１・・・（１）
ここで、上述のごとく、Ｕａ＝０であることから、第１特別図柄変動保留数Ｕａは、式（１）に基づき、Ｕａ＝１と算出更新される。詳細には、現段階において、特別図柄変動が、第１或いは第２の特別図柄表示器１３０或いは１４０により表示されていることを前提として、Ｕａ＝１と算出更新される。
【０１２６】
ついで、次のステップ５２２において、第１主特別図柄変動保留表示器の駆動処理がなされる。これに伴い、主制御装置３００が、ＣＰＵ３６０により、現段階における第１特別図柄変動保留数Ｕａに応じて第１主特別図柄変動保留表示器１５０を駆動する。現段階では、Ｕａ＝１であるから、第１主特別図柄変動保留表示器１５０は、左端側保留発光ダイオードを点灯させる。
【０１２７】
このことは、第１主特別図柄変動保留表示器１５０がＵａ＝１に基づき第１特別図柄変動保留数が「１」である旨を表示することを意味する。これにより、遊技者は、特別図柄変動の表示中において、現段階の第１特別図柄変動保留数ＵａはＵａ＝１になったことを視認し得る。
【０１２８】
上述のようなステップ５２２の処理後、次のステップ５２３において、第１増コマンドのセットデータの出力データとしてのセット処理がなされる。これに伴い、ステップ５２１における第１特別図柄変動保留数Ｕａを表す第１増コマンドが出力データとしてセットされる。なお、当該セットとは、ＲＡＭ３９０への一時的記憶をいう。
【０１２９】
然る後、上述のように遊技領域１２内に案内される遊技球が、さらに、第１始動入賞口５１に順次入賞すると、これら各遊技球の入賞が、順次、第１始動入賞口センサＳ１により検出される。
【０１３０】
従って、その後、上記タイマー割り込みプログラムが第１始動口処理ルーチン５００に進む毎に、ステップ５１０においてＹＥＳと判定され、ステップ５２０においてＹＥＳと判定され、ステップ５２１において、式（１）に基づき第１特別図柄変動保留数Ｕａの加算更新処理がなされ、ステップ５２２において、上述と同様に、第１主特別図柄変動保留表示器１５０が駆動される。
【０１３１】
例えば、第１特別図柄変動保留数Ｕａが「１」ずつ増加する毎に、第１主特別図柄変動保留表示器１５０は、上述の点灯済みの保留発光ダイオードの右側に順次位置する各保留発光ダイオードを順次点灯する。このことは、第１特別図柄変動保留数Ｕａの加算更新に基づき第１主特別図柄変動保留表示器１５０による第１特別図柄変動保留の表示の数が増加することを意味する。これにより、遊技者は、現段階の第１特別図柄変動保留数Ｕａの増加を視認し得る。
【０１３２】
そして、このようなステップ５２２の処理毎にステップ５２３においてステップ５２２における各新たな更新データが各出力データとして順次セットされる。このような状態において、ステップ５２１における最新の第１特別図柄変動保留数Ｕａに基づき、Ｕａ≧４が成立すると、その後、ステップ５２０において、ＮＯと判定される。
【０１３３】
上述のような第１始動入賞口処理ルーチン５００の終了に伴い、上記タイマー割り込みプログラムは、第２始動入賞口処理ルーチン６００（図６及び図８参照）に進む。この第２始動入賞口処理ルーチン６００の処理は、電動チューリップ６０の第２始動入賞口６１への遊技球の入賞に基づく大当たりの抽選の機会を形成するために、次のようになされる。
【０１３４】
上述のように遊技領域１２内に順次案内される遊技球が電動チューリップ６０の第２始動入賞口６１に入賞すると、当該遊技球の入賞が第２始動入賞口センサＳ２により検出される。
【０１３５】
このとき、上記タイマー割り込みプログラムが第２始動入賞口処理ルーチン６００のステップ６１０に進んでおれば、このステップ６１０において、第２始動入賞口センサＳ２の検出出力に基づき、遊技球の第２始動入賞口６１への入賞として、ＹＥＳと判定される。
【０１３６】
然る後、Ｕｂ＜４か否かが、ステップ６２０において判定される。なお、Ｕｂは、第２始動入賞口６１への遊技球の入賞に伴い第２特別図柄変動の表示を保留する数（以下、第２特別図柄変動保留数という）を表す。また、ステップ６１０では、第２始動入賞口６１への遊技球の入賞がなければ、ＮＯと判定される。
【０１３７】
現段階では、Ｕｂ＝０であるとすれば、ステップ６２０においてＹＥＳと判定されて、次のステップ６２１において、第２特別図柄変動保留数Ｕｂが次の式（２）に基づき算出される。
【０１３８】
Ｕｂ＝Ｕｂ＋１・・・（２）
ここで、上述のごとく、Ｕｂ＝０であることから、第２特別図柄変動保留数Ｕｂは、式（２）に基づき、Ｕｂ＝１と算出更新される。なお、詳細には、現段階において、特別図柄変動が、第１或いは第２の特別図柄表示器１２０或いは１３０により表示されている状態にあることを前提として、Ｕｂ＝１と算出更新される。
【０１３９】
ついで、ステップ６２２において、第２主特別図柄変動保留表示器の駆動処理がなされる。これに伴い、主制御装置３００が、ＣＰＵ３６０により、現段階における第２特別図柄変動保留数Ｕｂに応じて第２主特別図柄変動保留表示器１６０を駆動する。現段階では、Ｕｂ＝１であるから、第２主特別図柄変動保留表示器１６０は、左端側保留発光ダイオードを点灯させる。
【０１４０】
このことは、第２主特別図柄変動保留表示器１６０が第２特別図柄変動保留数が「１」である旨表示することを意味する。これにより、遊技者は、現段階における特別図柄変動の表示中において、現段階の第２特別図柄変動保留数ＵｂがＵｂ＝１になったこと視認し得る。
【０１４１】
上述のようなステップ６２２の処理後、次のステップ６２３において、第２増コマンドの出力データとしてのセット処理がなされる。これに伴い、ステップ６２１における第２特別図柄変動保留数Ｕｂを表す第２増コマンドが出力データとしてセットされる。
【０１４２】
然る後、上述のように遊技領域１２内に順次案内される遊技球が、さらに、第２始動入賞口６１に順次入賞すると、これら各遊技球の入賞が、順次、第２始動入賞口センサＳ２により検出される。
【０１４３】
従って、その後、上記タイマー割り込みプログラムが第２始動入賞口処理ルーチン６００に進む毎に、ステップ６１０においてＹＥＳと判定され、ステップ６２０においてＹＥＳと判定され、ステップ６２１において、式（２）に基づき第２特別図柄変動保留数Ｕｂの加算更新処理がなされ、ステップ６２２において、第２主特別図柄変動保留表示器１６０が駆動される。
【０１４４】
例えば、第２特別図柄変動保留数Ｕｂが「１」ずつ増加する毎に、第２主特別図柄変動保留表示器１６０は、上述の点灯済みの保留発光ダイオードの右側に順次位置する各保留発光ダイオードを順次点灯する。このことは、第２特別図柄変動保留数Ｕｂの加算更新に基づき第２主特別図柄変動保留表示器１６０の表示による第２特別図柄変動保留数が増加することを意味する。これにより、遊技者は、現段階の第２特別図柄変動保留数Ｕｂの増加を視認し得る。
【０１４５】
そして、このようなステップ６２２の処理毎に、ステップ６２３において、ステップ６２１における各更新データが、第２増コマンドを表す出力データとして順次セットされる。このような状態において、ステップ６２１における最新の第２特別図柄変動保留数Ｕｂに基づき、Ｕｂ≧４が成立すると、その後のステップ６２０において、ＮＯと判定される。
【０１４６】
上述のような第２始動入賞口処理ルーチン６００の終了に伴い、上記タイマー割り込みプログラムは、ゲート処理ルーチン７００（図６及び図９参照）に進む。このゲート処理ルーチン７００の処理は、普通図柄の抽選の機会を形成するために、次のようになされる。
【０１４７】
当該ゲート処理ルーチン７００では、ステップ７１０においてスルーゲートの通過か否かが判定される。現段階において、上述のごとく案内された遊技球がスルーゲート７０を通過すると、当該通過遊技球がゲートセンサＳ３により検出される。従って、ステップ７１０において、ゲートセンサＳ３の検出出力に基づき、ＹＥＳと判定される。
【０１４８】
ついで、ステップ７２０において、Ｇ＜４か否かが判定される。ここで、Ｇ＜４において、Ｇは、遊技球のスルーゲート７０に対する通過数に対応した保留数（以下、通過保留数ともいう）を表す。現段階において、Ｇ＝０であれば、ステップ７２０においてＹＥＳと判定される。これに伴い、次のステップ７２１において、次の式（３）に基づきＧ＝１と加算更新される。なお、このとき、現段階において、普通図柄変動が、普通図柄表示器１１０により表示されていることを前提に、Ｇ＝１と加算更新される。なお、普通図柄変動の保留が、通過保留数Ｇに基づきなされることから、通過保留数Ｇは、普通図柄変動保留数Ｇともいう。
【０１４９】
Ｇ＝Ｇ＋１・・・・（３）
ステップ７２１における処理後、ステップ７２２において、主普通図柄変動保留表示器１４０の駆動処理がなされる。これに伴い、主制御装置３００が、ＣＰＵ３６０により、現段階における通過保留数Ｇに応じて主普通図柄変動保留表示器１４０を駆動する。現段階ではＧ＝１であるから、主普通図柄変動保留表示器１４０は、左端側保留発光ダイオードを点灯させる。
【０１５０】
このことは、主普通図柄変動保留表示器１４０が、普通図柄変動保留数が「１」である旨表示することを意味する。これにより、遊技者は、普通図柄変動の表示中において、現段階の通過保留数Ｇ（普通図柄変動数Ｇ）はＧ＝１であることを視認し得る。
【０１５１】
上述のようなステップ７２２の処理後、次のステップ７２３において、第３増コマンドの出力データとしてのセット処理がなされる。ここでは、ステップ７２１における更新データが第３増コマンドを表す出力データとしてセットされる。
【０１５２】
然る後、上述のように遊技領域１２内に順次案内される遊技球が、さらに、スルーゲート７０を順次通過すると、これら通過遊技球が、順次、ゲートセンサＳ３により検出される。
【０１５３】
従って、その後、上記タイマー割り込みプログラムがゲート処理ルーチン７００に進む毎に、ゲートセンサＳ３から順次生ずる検出出力に基づき、ステップ７１０においてＹＥＳと判定され、ステップ７２０にてＹＥＳと判定され、ステップ７２１において式（３）に基づき通過保留数Ｇの加算更新がなされ、ステップ７２２において、主普通図柄変動保留表示器１４０が駆動される。
【０１５４】
例えば、通過保留数Ｇが「１」ずつ増加する毎に、主普通図柄変動保留表示器１４０は、上述の点灯済みの保留発光ダイオードの右側に順次位置する各保留発光ダイオードを順次点灯する。このことは、通過保留数Ｇの加算更新に基づき主普通図柄変動保留表示器１４０の表示による普通図柄変動数が増加することを意味する。これにより、遊技者は、現段階の通過保留数Ｇの増加を視認し得る。
【０１５５】
そして、このようなステップ７２２の処理毎に、ステップ７２３において、ステップ７２１における各更新データが各出力データとして順次セットされる。このような状態において、ステップ７２１における最新の通過保留数Ｇに基づき、Ｇ≧４が成立すると、その後のステップ７２０において、ＮＯと判定される。
（４）賞球処理
然る後、上記タイマー割り込みプログラムが次の賞球処理ルーチン８００（図６参照）に進むと、この賞球処理ルーチン８００において、上述した遊技球の第１或いは第２の始動入賞口５１或いは６１への入賞数に応じた賞球コマンド或いは遊技球のスルーゲート７０に対する通過数に応じたコマンドが設定される。
（５）特別図柄処理
ついで、上記タイマー割り込みプログラムが特別図柄処理ルーチン９００（図６及び図１０参照）に進むと、ステップ９１０（図１０参照）において、大当たり遊技中か否かが判定される。現段階において、現遊技状態が大当たり当選後の大入賞口開放遊技状態にあれば、大当たり遊技中であることから、ステップ９１０においてＹＥＳと判定される。このため、特別図柄処理ルーチン９００は、新たな特別図柄変動の表示を開始することなく、エンドステップに進む。
【０１５６】
一方、現段階において、ステップ９１０の判定がＮＯとなる場合には、次のステップ９２０において特別図柄変動表示中か否かが判定される。現段階において、ステップ９８０における変動表示開始処理がなされていなければ、特別図柄変動は表示中でないことから、ステップ９２０における判定はＮＯとなり、ステップ９３０において、Ｕａ≧１か否かが判定される。
【０１５７】
ここで、第１始動入賞口処理ルーチン５００のステップ５２１（図７参照）における最新の第１特別図柄変動保留数Ｕａが、Ｕａ＝０であれば、ステップ９３０にてＮＯと判定される。一方、上述した最新の第１特別図柄変動保留数ＵａがＵａ＝０でなければ、ステップ９３０においてＹＥＳと判定される。
【０１５８】
ついで、ステップ９３１において、第１特別図柄変動保留数Ｕａが、次の式（４）に基づき、減算更新される。
【０１５９】
Ｕａ＝Ｕａ−１・・・・（４）
その後、ステップ９３２における第１主特別図柄変動保留表示器の保留発光ダイオード消灯処理において、第１主特別図柄変動保留表示器１５０の各保留発光ダイオードのうち右端側点灯保留発光ダイオードが、主制御装置３００のＣＰＵ３６０により消灯される。このことは、その後最初に行われるであろう第１主特別図柄変動保留表示器１５０に基づく特別図柄変動の表示の保留が、１つ、解除されることを意味する。
【０１６０】
ステップ９３２の処理後、次のステップ９３３において、第１減コマンドの出力データとしてのセット処理がなされる。ここでは、上述したステップ９３１における第１特別図柄変動保留数Ｕａの減算に対応して第１減コマンドを表す出力データがセットされる。
【０１６１】
然る後、次のステップ９４０において、Ｕb≧１か否かが判定される。現段階において、Ｕb＝０であれば、ステップ９４０における判定はＮＯとなる。即ち、現段階では、遊技球が、特別図柄変動の現在の表示中において、第２始動入賞口６１に入賞していないことから、特別図柄処理ルーチン９００は、エンドステップに進む。
【０１６２】
また、上述のように特別図柄処理ルーチン９００がステップ９３０に進んだとき、最新の第２特別図柄変動保留数Ｕｂ（図８のステップ６２１参照）が、Ｕｂ≧１であれば、当該ステップ９３０においてＹＥＳと判定される。これに伴い、次のステップ９４１において、第２特別図柄変動保留数Ｕｂが、次の式（５）に基づき、減算更新される。
【０１６３】
Ｕｂ＝Ｕｂ−１・・・・（５）
その後、ステップ９４２において、第２主特別図柄変動保留表示器の保留発光ダイオード消灯処理において、第２主特別図柄変動保留表示器１６０の各保留発光ダイオードのうち右端側点灯保留発光ダイオードが、主制御装置３００のＣＰＵ３６０により消灯される。このことは、その後、最初に行われるであろう第２主特別図柄変動保留表示器１６０に基づく特別図柄の変動表示の保留が、１つ、解除されることを意味する。
【０１６４】
ステップ９４２の処理後、次のステップ９４３において、第２減コマンドの出力データとしてのセット処理がなされる。ここでは、ステップ９４１における第２特別図柄変動保留数Ｕｂの減算に対応して第２減コマンドを表す出力データがセットされる。
【０１６５】
上述のようにステップ９４３の処理がなされると、特別図柄処理ルーチン９００は、大当たり判定処理サブルーチン９５０（図１０参照）に進む。ここでは、第１或いは第２の始動入賞口５１或いは６１への遊技球の入賞に伴う大当たり抽選の結果が、大当たりか否かが判定される。
【０１６６】
すると、次のステップ９６０において、変動パターンセット処理がなされる。ここでは、大当たり用、リーチ用或いははずれ用の変動パターンが、選択されてセットされる。
【０１６７】
このようにして変動パターン選択処理サブルーチン９６０の処理が終了すると、次のステップ９７０（図１０参照）において、図柄変動表示開始コマンドセット処理がなされる。これに伴い、ステップ９６０で選択済みの変動パターンに対する変動表示開始コマンドがセットされる。
【０１６８】
ついで、ステップ９７０における変動表示開始処理において、主制御装置３００が、ＣＰＵ３６０により、ステップ９６０で選択済みの変動パターンでもって特別図柄変動を表示するように第１特別図柄表示器１２０或いは第２特別図柄表示器１３０を駆動する。このため、第１特別図柄表示器１２０或いは第２特別図柄表示器１３０は、当該変動パターンによる特別図柄変動の表示を行う。なお、第１始動入賞口５１への遊技球の入賞を前提とする場合には、第１特別図柄表示器１２０が特別図柄変動の表示を行い、第２始動入賞口６１への遊技球の入賞を前提とする場合には、第２特別図柄表示器１３０が特別図柄変動の表示を行う。
【０１６９】
ステップ９８０の処理後、ステップ９８０ａにおける変動時間計時開始処理において、上記変動パターンの変動時間の計時が開始される。ここで、この変動時間の計時は、主制御装置３００に内蔵の他のソフトタイマーにより行われる。
【０１７０】
然る後、特別図柄処理ルーチン９００が再びステップ９２０に進んだとき、ＹＥＳと判定されると、次のステップ９９０において、変動時間の終了か否かが判定される。現段階において、ステップ９８０ａで変動時間計時開始された変動時間が未だ所定の変動時間に達していなければ、ステップ９９０における判定はＮＯとなる。
【０１７１】
このような状態において、特別図柄処理ルーチン９００が、その後、少なくとも一回、ステップ９９０に進んだとき、ステップ９８０ａで変動時間計時開始された変動時間が上記所定の変動時間に達していれば、当該ステップ９９０において、ＹＥＳと判定される。すると、ステップ９９０ｂにおける変動表示停止コマンドセット処理において、変動表示停止コマンドが、ステップ９８０において開始された変動パターンの変動表示を停止させるようにセットされる。ついで、ステップ９００ｂにおける変動表示停止処理において、主制御装置３００が、ＣＰＵ３６０により、上述した第１特別図柄表示器１２０或いは第２特別図柄表示器１３０による特別図柄変動の表示を停止させる。
【０１７２】
ステップ９９０ｂの処理後、ステップ９９０ｃにおける変動時間のリセット処理において、上記所定の変動時間がリセットされて、特別図柄処理ルーチン９００は、停止中処理サブルーチン９９０ｄ（図１０参照）に進む。
【０１７３】
この停止中処理サブルーチン９９０ｄでは、当たり或いは大当たりかの判定を行い、時短、確変その他の処理がなされる。
（６）普通図柄処理
上述のようにして特別図柄処理ルーチン９００の処理が終了すると、上記タイマー割り込みプログラムは、普通図柄処理ルーチン１０００（図６及び図１１参照）に進む。すると、ステップ１１００（図１１参照）において、普通図柄変動表示中か否かが判定される。現段階の遊技状態が、普通図柄変動の表示中でなければ、ステップ１１００におけるＮＯとの判定後、ステップ１２００において、Ｇ≧１か否かにつき判定される。ここで、ゲート処理ルーチン７００（図９参照）のステップ７２１における最新の通過保留数ＧがＧ＝０であれば、ステップ１２００における判定はＮＯとなる。これに伴い、普通図柄の抽選開始のための入賞がないということから、普通図柄処理ルーチン１０００は、エンドステップに進む。
【０１７４】
一方、ステップ１２００において、Ｇ≧１が成立すれば、ＹＥＳと判定された後、ステップ１２１０において、次の式（６）に基づき、通過保留数Ｇが「１」だけ減算更新される。
【０１７５】
Ｇ＝Ｇ−１・・・・（６）
然る後、ステップ１２１１における主普通図柄変動保留表示器の保留発光ダイオードの消灯処理において、主普通図柄変動保留表示器１４０の各保留発光ダイオードのうち右端側点灯保留発光ダイオードが、主制御装置３００のＣＰＵ３６０により消灯される。このことは、その後最初に行われる主普通図柄変動保留表示器１４０に基づく普通図柄変動の表示の保留が、１つ、解除されることを意味する。
【０１７６】
ステップ１２１１の処理後、次のステップ１２１２において、第３減コマンドの出力データとしてのセット処理がなされる。ここでは、ステップ１２１０における通過保留数Ｇ（普通図柄変動保留数Ｇ）に対応して第３減コマンドが出力データとしてセットされる。
【０１７７】
ついで、ステップ１３００において当たりか否かにつき判定される。即ち、現段階において、遊技球のスルーゲート７０の通過に伴う普通図柄の当たり抽選結果が当たりであれば、ステップ１３００における判定はＹＥＳとなり、次のステップ１３１０における当たり図柄セット処理において、当たり図柄がセットされる。また、ステップ１３００における判定がＮＯとなる場合には、ステップ１３２０におけるハズレ図柄セット処理において、ハズレ図柄がセットされる。
【０１７８】
ステップ１３１０或いは１３２０における処理後、ステップ１４００において、確変又は時短の遊技状態か否かにつき判定される。現段階の遊技状態が、確変及び時短のうちのいずれかの遊技状態であれば、ステップ１４００においてＹＥＳと判定された後、ステップ１４１０において、変動時間が３（秒）にセットされる。一方、ステップ１４００における判定がＮＯとなるときには、現段階の遊技状態が通常遊技状態或いは潜伏確変遊技状態であることから、ステップ１４２０において、変動時間が２９（秒）とセットされる。
【０１７９】
このようにして、ステップ１４１０或いはステップ１４２０の処理がなされた後は、ステップ１４３０における変動表示開始処理において、普通図柄表示器１１０により、ステップ１３１０にてセット済みの当たり図柄或いはステップ１３２０にてセット済みのハズレ図柄の変動表示が開始される。これに伴い、ステップ１４４０における変動時間計時開始処理において、主制御装置３００に内蔵の他のソフトタイマーがリセットされて計時を開始する。
【０１８０】
然る後、普通図柄処理ルーチン１０００が再びステップ１１００に進むと、ステップ１４３０において既に変動開始済みであることから、当該ステップ１１００においてＹＥＳと判定される。すると、ステップ１５００において変動時間終了か否かが判定される。ここで、ステップ１４４０において計時開始済みの上記ソフトタイマーの計時時間が、上記変動時間（ステップ１４１０或いはステップ１４２０におけるセット時間）に達していなければ、ステップ１５００における判定はＮＯとなる。
【０１８１】
このような状態において、普通図柄処理ルーチン１０００が、その後、少なくとも１回以上、ステップ１５００に進んだとき、ステップ１４４０において計時開始済みの上記ソフトタイマーの計時時間が上記所定の変動時間に達していれば、ステップ１５００においてＹＥＳと判定される。これに伴い、ステップ１５１０における変動表示停止処理において、ステップ１４３０において開始した当たり図柄変動或いはハズレ図柄変動の表示が普通図柄表示器１１０において停止される。なお、ステップ１５２０において、上記変動時間（ステップ１４１０或いはステップ１４２０におけるセット時間）のリセットがなされる。
（７）大入賞口処理
以上のようにして普通図柄処理ルーチン１０００の処理が終了すると、上記タイマー割り込みプログラムは、大入賞口ルーチン２０００（図６参照）に進む。当該大入賞口処理ルーチン２０００においては、１５ラウンドの１回目のラウンドから１５回目のラウンドにかけて、大入賞口開放処理が繰り返しなされる。これに伴い、アタッカー１００が、大当たり開放パターンに基づき、大入賞口１０２を繰り返し開放する。これにより、上述のように遊技領域１２内に順次案内される遊技球が、上記大入賞口１０２に繰り返し入賞し易くなり、その結果、遊技者は、多くの賞球の獲得を期待できる。
（８）電チュー処理
以上のようにして大入賞口処理ルーチン２０００の処理が終了すると、上記タイマー割り込みプログラムは、次の電チュー処理ルーチン３０００（図６参照）に進む。当該電チュー処理ルーチン３０００においては、現段階の遊技状態が確変或いは時短の遊技状態であれば、電動チューリップ６０の開放時間が３．５（秒）にセットされ、一方、現段階の遊技状態が、確変或いは時短の遊技状態ではなく、通常遊技状態或いは潜伏確変遊技状態であれば、電動チューリップ６０の開放時間が０．２（秒）にセットされる。
【０１８２】
これに伴い、電動チューリップ６０が、主制御装置３００のＣＰＵ３６０による制御のもとに、３．５（秒）或いは０．２（秒）の間、電チューアクチュエータ６２により駆動されて、開き、第２始動入賞口６１を開放する。これにより、遊技者は、電動チューリップ６０を介する第２始動入賞口６１への遊技球の入賞の増加を期待し得る。
（９）出力処理
上述のように電チュー処理ルーチン３０００の処理が終了すると、上記タイマー割り込みプログラムは、出力処理ルーチン４０００（図６参照）に進む。この出力処理ルーチン４０００においては、第１始動入賞口ルーチン５００〜電チュー処理ルーチン３０００の各処理においてなされた第１及び第２の始動入賞口センサＳ１、Ｓ２の各検出出力、普通入賞口センサＳ４の検出出力や第１〜第３の増コマンド及び第１〜第３の減コマンドその他の種々の処理データが、出力データとして副制御装置４００の払い出し制御部４００ａ及び演出制御部４００ｂに対し出力される。
２．副制御装置側遊技作動モード
以上のような主制御装置側遊技作動モードの処理にあわせて、副制御装置４００においては、払い出し制御部４００ａが払い出し遊技作動モードにおかれるとともに、演出制御部４００ｂが、画像制御部４００ｃ及びランプ制御部４００ｄとともに、演出遊技作動モードにおかれる。
【０１８３】
ここで、副制御装置４００の演算処理部４００ｂによる演算処理プログラム（図１５参照）の実行は上述と同様である。また、ソフトタイマー４２８が、その第１副タイマー部にて、上記最初の第１パルス信号に後続して、第１パルス信号を順次発生するが、これによっても、副断電割り込みプログラム（図１９参照）の実行は、上記最初の第１パルス信号の場合と同様に繰り返される。なお、上述と同様に、現段階では、直流電源ＤＣから副制御装置４００への給電は維持されていることから、図２０のフローチャートに従う副給電復帰プログラムの実行はなされない。
（１）払い出し処理
上述のように副制御装置４００の払い出し制御部４００ａが上記払い出し制御プログラムの実行を開始した後において、各種出力データが上述のごとく主制御装置４００から出力処理ルーチン５０００から副制御装置４００に出力されると、当該各種出力データが払い出しデータ（大入賞口センサＳ５の検出出力等）を含んでおれば、払い出し制御部４００ａが、ＣＰＵ４１３にて、当該払い出しデータをＩ／Ｆ４１１を介し入力されて遊技球の払い出し処理を行い、払い出し出力をＯ／Ｆ４１２から払い出しモータＭに出力する。このため、上記払い出し機構が、払い出しモータＭの駆動のもとに、所定の払い出し条件に応じて、遊技球を払い出す。
（２）各種入力処理及び演出表示処理
上述のように副制御装置４００の演出制御部４００ｂが、そのＣＰＵ４２５により、図１５のフローチャートに従い上記演出制御プログラムの実行を開始すると、各種入力処理ルーチン６１００において、主制御装置３００からの各種出力データが演出制御部４００ｂに入力される。
（３）演出表示処理
上述のようにして各種入力処理ルーチン６１００の処理が終了すると、次の演出表示処理ルーチン６２００（図１５及び図１６参照）の処理が行われる。しかして、この演出表示処理ルーチン６２００の処理では、ステップ６２１０（図１６参照）において、演出表示データの受信か否かが判定される。
【０１８４】
現段階において、当該出力データのうちの演出表示にかかわる演出表示データが演出制御部４００ｂにて受信されていれば、ステップ６２１０においてＹＥＳと判定される。なお、演出表示データの演出制御部４００ｂによる受信がなければ、ステップ６２１０においてＮＯと判定され、演出表示処理ルーチン６２００はエンドステップ（図１６参照）に進む。
【０１８５】
上述のようにステップ６２１０における判定がＹＥＳになると、次のステップ６２１１において、演出表示処理がなされる。この演出表示処理においては、第１特別図柄変動保留数に応じた装飾図柄変動保留表示器による表示処理及び第２特別図柄変動保留数に応じた保留図柄の選択的表示処理も併せてなされる。
【０１８６】
しかして、演出表示処理において、演出画像表示装置２００が、演出表示データに基づく演出制御部４００ｂによる制御のもとに、画像制御部４００ｃのＣＰＵ４３３により制御される表示駆動回路２０２により駆動されて、表示パネル２０１にて、現段階の遊技状態に応じた演出表示内容を表示する。
【０１８７】
また、上述したステップ６２１０において、第１特別図柄変動保留数やその点消灯データが出力データとして演出制御部４００ｂにより受信されていれば、ＹＥＳと判定される。このため、ステップ６２１１において、上述した演出表示にあわせて、第１特別図柄変動保留数に応じた装飾図柄保留表示器の駆動処理がなされる。
【０１８８】
これに伴い、装飾図柄変動保留表示器２１０が、主制御装置３００からの出力データのうちの点消灯データに基づく演出制御部４００ｂによる制御のもとに、ランプ制御部４００ｄのＣＰＵ４４３により駆動制御されて、各保留発光ダイオード２１１を、第１特別図柄変動保留数Ｕａに応じて左端側から点灯或いは右端側から消灯させる。これにより、遊技者は、現段階における第１特別図柄変動保留数Ｕａの変化に対応する装飾図柄変動数の変化を視認し得る。なお、各保留発光ダイオード２１１の点消灯は、第１主特別図柄変動保留表示器１５０の各保留発光ダイオードの点消灯に対応する。
【０１８９】
また、第２特別図柄変動保留数に応じた各保留図柄の選択的表示処理がなされる。この選択的表示処理では、演出画像表示装置２００が、図柄表示或いはその消滅のデータに基づく演出制御部４００ｂによる制御のもとに、画像制御部４００ｃのＣＰＵ４３３により制御される表示駆動回路２０２により駆動されて、表示パネル２０１にて、各保留図柄Ｒｐを、第２特別図柄変動保留数Ｕｂに応じて上端側から表示し、下端側から消滅させる（図２参照）。これにより、遊技者は、現段階における第２特別図柄変動保留数Ｕｂの変化を視認し得る。なお、各保留図柄Ｒｐの表示及び消滅は、第２主特別図柄変動保留表示器１６０の各保留発光ダイオードの点灯及び消灯に対応する。
（３）図柄変動処理
上述のように演出表示処理ルーチン６２００の処理が終了すると、次の図柄変動表示処理ルーチン６３００（図１５、図１７及び図１８参照）の処理がなされる。
【０１９０】
しかして、当該図柄変動表示処理ルーチン６３００においては、ステップ６３１０において主制御装置３００からの出力データのうちの第１増コマンドの受信か否かが判定される。現段階において、ステップ５２３（図７参照）にてセット処理済みの第１増コマンドが主制御装置３００から演出制御部４００ｂに出力データの１つとして出力されていれば、当該ステップ６３１０において、ＹＥＳと判定される。これに伴い、次のステップ６３１１において、第１副特別図柄変動保留表示器の点灯駆動処理がなされる。従って、第１副特別図柄変動保留表示器１７０が、左右両側保留発光ダイオード１７２を選択的に点灯、点滅或いは消灯する。
【０１９１】
ここで、現段階における第１特別図柄変動保留数が零であれば、ステップ６３１０におけるＹＥＳとの判定に伴い、第１副特別図柄変動保留表示器１７０が、左側保留発光ダイオード１７２を点灯する。また、現段階における第１特別図柄変動保留数が「１」であれば、ステップ６３１０におけるＹＥＳとの判定に伴い、第１副特別図柄変動保留表示器１７０が、左側保留発光ダイオード１７２の点灯のもと、右側保留発光ダイオード１７２を点灯する。
【０１９２】
また、現段階における第１特別図柄変動保留数が「２」であれば、ステップ６３１０におけるＹＥＳとの判定に伴い、第１副特別図柄変動保留表示器１７０が、右側保留発光ダイオード１７２の点灯のもと、左側保留発光ダイオード１７２を点滅させる。また、現段階における第１特別図柄変動保留数が「３」であれば、第１副特別図柄変動保留表示器１７０は、左側保留発光ダイオード１７２の点滅のもと、右側保留発光ダイオード１７２を点滅させる。なお、第１副特別図柄変動保留表示器１７０は、当たり或いははずれの場合に、保留発光ダイオード１７１を点灯或いは消灯する。
【０１９３】
また、ステップ６３１０における判定がＮＯとなる場合には、次のステップ６３２０において、第２増コマンドの受信か否かが判定される。現段階において、ステップ６２３（図８参照）にてセット処理済みの第２増コマンドが主制御装置３００から演出制御部４００ｂに出力データの１つとして出力されていれば、当該ステップ６３２０において、ＹＥＳと判定される。これに伴い、次のステップ６３２１において、第２副特別図柄変動保留表示器の点灯駆動処理がなされる。これに伴い、第２副特別図柄変動保留表示器１８０が、左右両側保留発光ダイオード１８２を選択的に点灯、点滅或いは消灯する。
【０１９４】
ここで、現段階における第２特別図柄変動保留数が零であれば、ステップ６３２０におけるＹＥＳとの判定に伴い、第２副特別図柄変動保留表示器１８０が、左側保留発光ダイオード１８２を点灯する。また、現段階における第２特別図柄変動保留数が「１」であれば、ステップ６３２０におけるＹＥＳとの判定に伴い、第２副特別図柄変動保留表示器１８０が、左側保留発光ダイオード１８２の点灯のもと、右側保留発光ダイオード１８２を点灯する。
【０１９５】
また、現段階における第２特別図柄変動保留数が「２」であれば、ステップ６３２０におけるＹＥＳとの判定に伴い、第２副特別図柄変動保留表示器１８０が、右側保留発光ダイオード１８２の点灯のもと、左側保留発光ダイオード１８２を点滅させる。また、現段階における第２特別図柄変動保留数が「３」であれば、第２副特別図柄変動保留表示器１８０は、左側保留発光ダイオード１８２の点滅のもと、右側保留発光ダイオード１８２を点滅させる。なお、第２副特別図柄変動保留表示器１８０は、当たり或いははずれの場合に、保留発光ダイオード１８１を点灯或いは消灯する。
【０１９６】
次に、ステップ６３２０における判定がＮＯとなる場合には、次のステップ６３３０において、第３増コマンドの受信か否かが判定される。現段階において、ステップ７２３（図９参照）にてセット処理済みの第３増コマンドが主制御装置３００から演出制御部４００ｂに出力データの１つとして出力されていれば、当該ステップ６３３０において、ＹＥＳと判定される。これに伴い、次のステップ６３３１において、副普通図柄変動保留表示器の点灯駆動処理がなされる。これに伴い、副普通図柄変動保留表示器１９０が、左右両側保留発光ダイオード１９２を選択的に点灯、点滅或いは消灯する。
【０１９７】
ここで、現段階における普通図柄変動保留数が零であれば、ステップ６３３０におけるＹＥＳとの判定に伴い、副普通図柄変動保留表示器１９０が、左側保留発光ダイオード１９２を点灯する。また、現段階における普通図柄変動保留数が「１」であれば、ステップ６３３０におけるＹＥＳとの判定に伴い、副普通図柄変動保留表示器１９０が、左側保留発光ダイオード１９２の点灯のもと、右側保留発光ダイオード１９２を点灯する。
【０１９８】
また、現段階における普通図柄変動保留数が「２」であれば、ステップ６３３０におけるＹＥＳとの判定に伴い、副普通図柄変動保留表示器１９０が、右側保留発光ダイオード１９２の点灯のもと、左側保留発光ダイオード１９２を点滅させる。また、現段階における普通図柄変動保留数が「３」であれば、副普通図柄変動保留表示器１９０が、左側保留発光ダイオード１９２の点滅のもと、右側保留発光ダイオード１９２を点滅させる。なお、副普通図柄変動保留表示器１９０は、当たり或いははずれの場合に、保留発光ダイオード１９１を点灯或いは消灯する。
【０１９９】
また、ステップ６３３０における判定がＮＯとなる場合には、次のステップ６３４０（図１８参照）において、第１減コマンドの受信か否かが判定される。現段階において、ステップ９３３（図１０参照）にてセット処理済みの第１減コマンドが主制御装置３００から演出制御部４００ｂに出力データの１つとして出力されていれば、当該ステップ６３４０において、ＹＥＳと判定される。これに伴い、次のステップ６３４１において、第１副特別図柄変動保留表示器の消灯駆動処理がなされる。これに伴い、第１副特別図柄変動保留表示器１７０が、左右両側保留発光ダイオード１７２を選択的に消灯する。
【０２００】
ここで、現段階における第１特別図柄変動保留数が「１」であれば、ステップ６３４０におけるＹＥＳとの判定に伴い、第１副特別図柄変動保留表示器１７０が、左側保留発光ダイオード１７２を消灯する。
【０２０１】
また、現段階における第１特別図柄変動保留数が「２」であれば、ステップ６３４０におけるＹＥＳとの判定に伴い、第１副特別図柄変動保留表示器１７０が、左側保留発光ダイオード１７２の点灯のもと、右側保留発光ダイオード１７２を消灯する。また、現段階における第１特別図柄変動保留数が「３」であれば、第１副特別図柄変動保留表示器１７０は、左側保留発光ダイオード１７２の点滅のもと、右側保留発光ダイオード１７２を消灯させる。また、現段階における第１特別図柄変動保留数が「４」であれば、第１副特別図柄変動保留表示器１７０は、左側保留発光ダイオード１７２の点滅のもと、右側保留発光ダイオード１７２を点滅から点灯状態にする。
【０２０２】
一方、ステップ６３４０における判定がＮＯとなる場合には、次のステップ６３５０において第２減コマンドの受信か否かが判定される。現段階において、ステップ９４３（図１０参照）にてセット処理済みの第２減コマンドが主制御装置３００から演出制御部４００ｂに出力データの１つとして出力されていれば、当該ステップ６３５０において、ＹＥＳと判定される。これに伴い、次のステップ６３５１において、第２副特別図柄変動保留表示器の消灯駆動処理がなされる。これに伴い、第２副特別図柄変動保留表示器１８０が、左右両側保留発光ダイオード１８２を選択的に消灯する。
【０２０３】
ここで、現段階における第２特別図柄変動保留数が「１」であれば、ステップ６３５０におけるＹＥＳとの判定に伴い、第２副特別図柄変動保留表示器１８０が、左側保留発光ダイオード１８２を消灯する。
【０２０４】
また、現段階における第２特別図柄変動保留数が「２」であれば、ステップ６３５０におけるＹＥＳとの判定に伴い、第２副特別図柄変動保留表示器１８０が、左側保留発光ダイオード１８２の点灯のもと、右側保留発光ダイオード１８２を消灯する。また、現段階における第２特別図柄変動保留数が「３」であれば、第２副特別図柄変動保留表示器１８０は、左側保留発光ダイオード１８２の点滅のもと、右側保留発光ダイオード１８２を消灯させる。また、現段階における第２特別図柄変動保留数が「４」であれば、第２副特別図柄変動保留表示器１８０は、左側保留発光ダイオード１８２の点滅のもと、右側保留発光ダイオード１８２を点滅から点灯状態にする。
【０２０５】
また、ステップ６３５０における判定がＮＯとなる場合には、ステップ６３６０において、第３減コマンドの受信か否かが判定される。現段階において、ステップ１２１２（図１１参照）にてセット処理済みの第３減コマンドが主制御装置３００から演出制御部４００ｂに出力データの１つとして出力されていれば、当該ステップ６３６０において、ＹＥＳと判定される。これに伴い、次のステップ６３６１において、副普通図柄変動保留表示器の消灯駆動処理がなされる。これに伴い、副普通図柄変動保留表示器１９０が、左右両側保留発光ダイオード１９２を選択的に消灯する。
【０２０６】
ここで、現段階における普通図柄変動保留数が「１」であれば、ステップ６３６０におけるＹＥＳとの判定に伴い、副普通図柄変動保留表示器１９０が、左側保留発光ダイオード１９２を消灯する。
【０２０７】
また、現段階における普通図柄変動保留数が「２」であれば、ステップ６３６０におけるＹＥＳとの判定に伴い、副普通図柄変動保留表示器１９０が、左側保留発光ダイオード１９２の点灯のもと、右側保留発光ダイオード１９２を消灯する。また、現段階における普通図柄変動保留数が「３」であれば、副普通図柄変動保留表示器１９０は、左側保留発光ダイオード１９２の点滅のもと、右側保留発光ダイオード１９２を消灯させる。また、現段階における普通図柄変動保留数が「４」であれば、副普通図柄変動保留表示器１９０は、左側保留発光ダイオード１９２の点滅のもと、右側保留発光ダイオード１９２を点滅から点灯状態にする。
【０２０８】
ところで、上述のような当該パチンコ遊技機の遊技状態においては、主制御装置３００において、主電断割り込み処理がなされるとともに、演出制御部４００ｂにおいて、副電断割り込み処理がなされる。
【０２０９】
即ち、主電断割り込み処理において、ソフトタイマー３７０が、上述のように、その第２主タイマー部にて、第２パルス信号を順次発生する毎に、上記主電断割り込みプログラムが図１２のフローチャートに従い繰り返し割り込み実行される。
【０２１０】
しかして、当該主電断割り込みプログラムが図１２のステップ５０１０に進むと、当該ステップ５０１０において第１特別図柄変動保留表示中か否かが判定される。現段階において、ステップ５２２（図７参照）における処理に伴い、第１主特別図柄変動保留表示器１５０が第１特別図柄変動保留を表示中であれば、ステップ５０１０においてＹＥＳと判定される。
【０２１１】
ついで、ステップ５０２０において、第２特別図柄変動保留表示中か否かが判定される。現段階において、ステップ６２２（図８参照）における処理に伴い、第２主特別図柄変動保留表示器１６０が第２特別図柄変動保留を表示中であれば、ステップ５０２０においてＹＥＳと判定される。
【０２１２】
さらに、ステップ５０３０において、普通図柄変動保留表示中か否かが判定される。現段階において、ステップ７２２（図９参照）における処理に伴い、主普通図柄変動保留表示器１４０が普通図柄変動保留の表示中であれば、ステップ５０３０においてＹＥＳと判定される。
【０２１３】
一方、上述したステップ５０１０における判定がＮＯとなる場合には、ステップ５０４０において、ステップ５０２０と同様に、第２特別図柄変動保留表示中か否かが判定される。
【０２１４】
ここで、当該ステップ５０４０において、ステップ５０２０におけるＹＥＳとの判定処理と同様に、第２特別図柄変動保留表示中であれば、ＹＥＳと判定される。一方、ステップ５０４０における判定がＮＯとなる場合には、ステップ５０５０において、ステップ５０３０と同様に、普通図柄変動保留表示中か否かが判定される。
【０２１５】
現段階において、普通図柄変動保留表示中であれば、ステップ５０３０の場合と同様に、ステップ５０５０において、ＹＥＳと判定される。
【０２１６】
上述のように、ステップ５０３０におけるＹＥＳとの判定、ステップ５０２０におけるＮＯとの判定、ステップ５０３０におけるＮＯとの判定、ステップ５０４０におけるＹＥＳとの判定、ステップ５０５０におけるＹＥＳとの判定のうちのいずれかの判定がなされると、次のステップ５０３１において、保留数のバックアップ処理がなされる。
【０２１７】
ここで、保留数とは、第１特別図柄変動保留数、第２特別図柄変動保留数、普通図柄変動保留数をいう。
【０２１８】
しかして、これら第１特別図柄変動保留数、第２特別図柄変動保留数、普通図柄変動保留数が、ステップ５０３１において、バックアップメモリ３９０ａにより不揮発的に記憶される。このことは、後述するステップ５０６０における判定の直前において、第１特別図柄変動保留数、第２特別図柄変動保留数、普通図柄変動保留数が、バックアップデータとして、バックアップメモリ３９０ａによりバックアップデータとしてバックアップされることを意味する。なお、バックアップメモリ３９０ａによるバックアップデータは、常に、最新のデータに更新される。
【０２１９】
ついで、ステップ５０６０において電断か否かが判定される。ここで、電断とは、主制御装置３００への直流電源ＤＣからの給電が、例えば、上記商用電源の停電或いは直流電源ＤＣの故障等に起因して停止されることをいう。
【０２２０】
現段階では、当該主制御装置３００への直流電源ＤＣからの給電が維持されていることから、ステップ５０６０において、ＮＯと判定される。
【０２２１】
然る後、当該主制御装置３００への直流電源ＤＣからの給電が停止される事態（電断）が発生すると、ステップ５０６０においてＹＥＳと判定されて、停止ステップにて、主制御装置３００の作動が停止する。このとき、上述のように、ステップ５０６０における判定の直前において、第１特別図柄変動保留数、第２特別図柄変動保留数、普通図柄変動保留数が、バックアップデータとして、繰り返し、バックアップメモリ３９０ａによりバックアップされているので、上述のように、ステップ５０６０におけるＹＥＳとの判定直前における最新のバックアップデータがバックアップメモリ３９０ａにより記憶されている。
【０２２２】
一方、副電断割り込み処理において、ソフトタイマー４２８が、上述のように、その第１副タイマー部により、第１パルス信号を発生する毎に、上記副電断割り込みプログラムが図１９のフローチャートに従い繰り返し割り込み実行される。
【０２２３】
しかして、当該副電断割り込みプログラムが、ステップ７１００に進むと、当該７１００において、電断か否かが判定される。現段階では、当該副制御装置４００への直流電源ＤＣからの給電が維持されていることから、ステップ７１００において、ＮＯと判定される。
【０２２４】
然る後、当該副制御装置４００への直流電源ＤＣからの給電が停止される事態（電断）が発生すると、ステップ７１００において、ＹＥＳと判定されて、停止ステップにて、副制御装置４００の作動が停止する。このとき、副制御装置４００の演出制御部４００ｂでは、主制御装置４００とは異なり、第１特別図柄変動保留数、第２特別図柄変動保留数や普通図柄変動保留数はバックアップされていない。
【０２２５】
以上のような主制御装置３００及び副制御装置４００の電断状態において、これら主制御装置３００及び副制御装置４００への直流電源ＤＣからの給電が復帰すると、主制御装置３００は、ＣＰＵ３６０により、図１３及び図１４のフローチャートに従い主給電復帰割り込みプログラムの実行に移行するとともに、演出制御部４００ｂは、ＣＰＵ４２５により、図２０及び図２１のフローチャートに従い副給電復帰割り込みプログラムの実行に移行する。
【０２２６】
ここで、上記主給電復帰割り込みプログラムの実行は、ソフトタイマー３７０の第２主タイマー部から第２パルス信号の発生ごとに繰り返される。なお、上記第２主タイマー部は、直流電源ＤＣから主制御装置３００への給電の復帰に伴い、リセット起動されて、経時を開始する。なお、上記第２主タイマー部は、直流電源ＤＣから当主制御装置３００への給電の復帰に伴い、リセット起動されて、経時を開始する。
【０２２７】
また、上記副給電復帰割り込みプログラムの実行は、ソフトタイマー４２８の第２副タイマー部からの第２パルス信号の発生ごとに繰り返される。なお、上記第２１副タイマー部は、直流電源ＤＣから副制御装置４００への給電の復帰に伴い、リセット起動されて、経時を開始する。
【０２２８】
しかして、主給電復帰割り込みプログラムが図１３のステップ５１１０に進むと、当該ステップ５１１０において、第１及び第２の主特別図柄変動保留表示器並びに主普通図柄変動保留表示器の復帰処理が行われる。これに伴い、第１及び第２の主特別図柄変動保留表示器１５０，１６０並びに主普通図柄変動保留表示器１４０が、直流電源ＤＣからの給電の復帰に基づき作動状態に復帰する。
【０２２９】
ついで、ステップ５１１１において、バックアップ保留数の表示処理がなされる。現段階では、ステップ５０６０（図１２参照）におけるＹＥＳとの判定直前における最新のバックアップデータである第１特別図柄変動保留数、第２特別図柄変動保留数、普通図柄変動保留数がバックアップメモリ３９０ａにより記憶されている。
【０２３０】
従って、主制御装置４００は、ＣＰＵ３６０により、バックアップメモリ３９０ａからそのバックアップデータを読み出して、主普通図柄変動保留表示器１４０、第１主特別図柄変動保留表示器１５０及び第２主特別図柄変動保留表示器１６０に出力する。
【０２３１】
これに伴い、主普通図柄変動保留表示器１４０が、上記バックアップデータのうちの普通図柄変動保留数を表示し、第１主特別図柄変動保留表示器１５０が、上記バックアップデータのうちの第１特別図柄変動保留数を表示し、また、第２主特別図柄変動保留表示器１６０が、上記バックアップデータのうちの第２特別図柄変動保留数を表示する。これにより、遊技者は、当該パチンコ遊技機の電断直前における普通図柄変動保留数、第１特別図柄変動保留数及び第２特別図柄変動保留数を視認することができる。
【０２３２】
ステップ５１１１の処理後、次のステップ５１２０において、第１或いは第２の始動入賞口への入賞か否かが判定される。換言すれば、第１或いは第２の始動入賞口への入賞か否かが主制御装置３００への給電復帰後において判定される。
【０２３３】
ここで、遊技球が、第１始動入賞口５１に新たに入賞することで、ステップ５１０（図７参照）にて、ＹＥＳと判定されると、第１特別図柄変動保留数Ｕａが、ステップ５２１にて加算更新される。
【０２３４】
また、遊技球が、第２始動入賞口６１に新たに入賞することで、ステップ６１０（図８参照）にて、ＹＥＳと判定されると、第２特別図柄変動保留数Ｕｂが、ステップ６２１にて加算更新される。
【０２３５】
従って、上述したステップ５１２０における判定にあたり、第１始動入賞口５１への遊技球の入賞に基づきＹＥＳと判定される場合には、次のステップ５１２１における第１或いは第２の増コマンドの出力データとしての出力処理において、第１増コマンドが出力データとして主制御装置３００から演出制御部４００ｂに出力される。一方、ステップ５１２０におけるＹＥＳとの判定が、遊技球の第２始動入賞口６１への入賞に基づきなされる場合には、ステップ５１２１において、第２増コマンドが出力データとして主制御装置３００から演出制御部４００ｂに出力される。
【０２３６】
ステップ５１２１におけるＹＥＳとの判定処理後、次のステップ５１３０において、スルーゲートの通過か否かが判定される。換言すれば、遊技球のスルーゲート７０の通過か否かが、ステップ７１００におけるＹＥＳとの判定後、主制御装置３００への直流電源ＤＣからの給電復帰後において判定される。
【０２３７】
現段階において、遊技球がスルーゲート７０を新たに通過することで、ステップ７１０（図８参照）にて、ＹＥＳと判定されると、ステップ７２１にて、通過保留数Ｇが加算更新される。すると、ステップ５１３１（図１３参照）における第３増コマンドの出力データとしての出力処理において、ステップ５１３０にてＹＥＳとの判定の根拠となった通過保留数Ｇに対応して第３増コマンドが出力データとして主制御装置３００から演出制御部４００ｂに出力される。
【０２３８】
一方、上述したステップ５１２０或いはステップ５１３０における判定がＮＯとなる場合には、ステップ５１４０(図１４参照）において第１特別図柄変動保留数の消化か否かが判定される。上述した給電復帰後の現段階において、ステップ９３１における第１特別図柄変動保留数Ｕａが減少すれば、当該第１特別図柄変動保留数Ｕａが消化されたことを意味する（図１０のステップ９３１参照）。これに伴い、ステップ５１４０における判定がＹＥＳになる。すると、次のステップ５１４１における第１減コマンドの出力処理において、ステップ５１４０において消化の対象となった第１特別図柄変動保留数Ｕａが、主制御装置３００から演出制御部４００ｂに出力される。
【０２３９】
また、ステップ５１４０における判定がＮＯとなる場合には、次のステップ５１５０において、第２特別図柄変動保留数の消化か否かが判定される。上述した給電復帰後の現段階において、ステップ９４１における第２特別図柄変動保留数Ｕｂが減少すれば、当該第２特別図柄変動保留数Ｕｂが消化されたことを意味する（図１０のステップ９４１参照）。これに伴い、ステップ５１５０における判定がＹＥＳになる。すると、次のステップ５１５１における第２減コマンドの出力処理において、ステップ５１５０において消化の対象となった第２特別図柄変動保留数Ｕｂが、主制御装置３００から演出制御部４００ｂに出力される。
【０２４０】
また、ステップ５１５０における判定がＮＯとなる場合には、次のステップ５１６０において普通図柄変動保留数の消化か否かが判定される。上述した給電復帰後の現段階において、ステップ１２１０における普通図柄変動保留数Ｇが減少すれば、当該普通図柄変動保留数Ｇが消化されたことを意味する（図１１のステップ１２１０参照）。これに伴い、ステップ５１６０における判定がＹＥＳになる。すると、次のステップ５１６１における第３減コマンドの出力処理において、ステップ５１６０において消化の対象となった普通図柄変動保留数Ｇが、主制御装置３００から演出制御部４００ｂに出力される。
【０２４１】
また、各ステップ５１４０、５１５０及び５１６０において共にＮＯとの判定となる場合には、ステップ５１１１（図１３参照）におけるバックアップ保留数が、第１主特別図柄変動保留表示器１５０、第２主特別図柄変動保留表示器１６０及び主普通図柄変動保留表示器１４０により、そのまま、維持表示される。
【０２４２】
一方、ステップ７１００（図１９参照）におけるＹＥＳとの判定がなされた後、直流電源ＤＣから副制御装置４００への給電が復帰すると、ステップ８１００（図２０参照）において、第１及び第２の副特別図柄変動保留表示器並びに副普通図柄変動保留表示器の復帰処理がなされる。
【０２４３】
これに伴い、第１及び第２の副特別図柄変動保留表示器１７０、１８０並びに副普通図柄変動保留表示器１９０がその作動状態に復帰する。ここで、現段階では、演出制御部４００ｂにおいて、第１特別図柄変動保留数、第２特別図柄変動保留数、普通図柄変動保留数が、ステップ５０３１（図１２参照）の処理とは異なり、バックアップされていない。このため、第１副特別図柄変動保留表示器１７０、第２副特別図柄変動保留表示器１８０及び副普通図柄変動保留表示器１９０は、復帰作動しても、それぞれ、第１副特別図柄変動保留数、第２副特別図柄変動保留数及び副普通図柄変動保留数をリセット状態その他の初期状態、即ち、共に、各保留発光ダイオードの無点灯状態でしか表示しない。なお、当該各初期状態とは、第１副特別図柄変動保留数、第２副特別図柄変動保留数及び副普通図柄変動保留数がそれぞれ零であることをいう。
【０２４４】
以上のように、第１及び第２の主特別図柄変動保留表示器１５０、１６０及び主普通図柄変動保留表示器１４０が、上述のごとく、直流電源ＤＣからの断電後の給電復帰の際に、それぞれ、断電直前のバックアップデータを表示するのに対し、第１及び第２の副特別図柄変動保留表示器１７０、１８０及び副普通図柄変動保留表示器１９０が、第１及び第２の主特別図柄変動保留表示器１５０、１６０及び主普通図柄変動保留表示器１４０とは異なり、第１特別図柄変動保留数、第２特別図柄変動保留数及び普通図柄変動保留数をリセット状態その他の初期状態で表示する。
【０２４５】
従って、このような現象は、上述した断電後の給電復帰に起因する旨、当該パチンコ遊技機の遊技者により視認され得る。換言すれば、上述した給電復帰の際の第１特別図柄変動保留数、第２特別図柄変動保留数及び普通図柄変動保留数は、正しくないため、上述した給電復帰の際の上記バックアップデータである第１特別図柄変動保留数、第２特別図柄変動保留数及び普通図柄変動保留数だけが、正しい旨認識し得る。
【０２４６】
また、ステップ８１００の処理後、ステップ８２００（図２０参照）において、第１増コマンドの受信か否かが判定される。現段階において、ステップ５１２１（図１３参照）にて主制御装置３００から出力された第１増コマンドが演出制御部４００ｂにより受信されていれば、当該ステップ８２００においてＹＥＳと判定される。
【０２４７】
これに伴い、次のステップ８２１０において、第１副特別図柄変動保留表示器の増点灯駆動処理がなされる。すると、ステップ５１２１（図１３参照）にて出力済みの第１増コマンドに基づき、ステップ５０３１（図１２参照）における保留数のうち第１特別図柄変動保留数に「１」加算してなる第１特別図柄変動保留数が第１副特別図柄変動保留表示器１７０により表示される。
【０２４８】
例えば、ステップ５０３１（図１２参照）における保留数のうち第１特別図柄変動保留数が「１」であれば、第１特別図柄変動保留数が「２」（左右両側保留発光ダイオード１７２が共に点灯することに対応）として、第１副特別図柄変動保留表示器１７０により表示される。これにより、第１副特別図柄変動保留表示器１７０の表示内容である第１特別図柄変動保留数が、上述した給電復帰後、初めて、正常な値になったことが、遊技者により視認され得る。
【０２４９】
一方、ステップ８２００における判定がＮＯとなる場合には、次のステップ８３００において、第２増コマンドの受信か否かが判定される。現段階において、ステップ５１２１（図１３参照）にて主制御装置３００から出力された第２増コマンドが演出制御部４００ｂにより受信されていれば、当該ステップ８３００においてＹＥＳと判定される。
【０２５０】
これに伴い、次のステップ８３１０において、第２副特別図柄変動保留表示器の増点灯駆動処理がなされる。ここでは、ステップ５１２１（図１３参照）にて出力済みの第２増コマンドに基づき、ステップ５０３１（図１２参照）における保留数のうち第２特別図柄変動保留数に「１」加算された値である第２副特別図柄変動保留数が第２副特別図柄変動保留表示器１８０により表示される。
【０２５１】
例えば、ステップ５０３１（図１２参照）における保留数のうち第２特別図柄変動保留数が「１」であれば、第２特別図柄変動保留数が「２」（左右両側保留発光ダイオード１８２が共に点灯することに対応）として、第２副特別図柄変動保留表示器１８０により表示される。これにより、第２副特別図柄変動保留表示器１８０の表示内容である第２特別図柄変動保留数が、上述した給電復帰後、初めて、正常な値になったことが、遊技者により視認され得る。
【０２５２】
一方、ステップ８３００における判定がＮＯとなる場合には、次のステップ８４００において、第３増コマンドの受信か否かが判定される。現段階において、ステップ５１３１（図１３参照）にて主制御装置３００から出力された第３増コマンドが演出制御部４００ｂにより受信されていれば、当該ステップ８４００においてＹＥＳと判定される。
【０２５３】
これに伴い、ステップ５１３１（図１３参照）にて出力済みの第３増コマンドに基づき、ステップ５０３１（図１２参照）における保留数のうち普通図柄変動保留数に「１」加算された値である普通図柄変動保留数が副普通図柄変動保留表示器１９０により表示される。
【０２５４】
例えば、ステップ５０３１（図１２参照）における保留数のうち普通図柄変動保留数が「１」であれば、普通図柄変動保留数が「２」（左右両側保留発光ダイオード１９２が共に点灯することに対応）として、副普通図柄変動保留表示器１９０により表示される。これにより、副普通図柄変動保留表示器１９０の表示内容である普通図柄変動保留数が、上述した給電復帰後、初めて、正常な値になったことが、遊技者により視認され得る。
【０２５５】
また、上述したステップ８４００においてＮＯと判定される場合には、次のステップ８５００（図２１参照）において、第１減コマンドの受信か否かが判定される。ここで、主制御装置３００及び副制御装置４００への直流電源ＤＣからの給電復帰後、図１０のステップ９３１〜ステップ９３３の処理がなされた場合には、第１減コマンドが、主制御装置３００から副制御装置３００に出力される（図６の出力処理ルーチン４０００参照）。このため、ステップ８５００における判定はＹＥＳとなる。
【０２５６】
すると、次のステップ８５１０において、第１副特別図柄変動保留表示器の減点灯駆動処理がなされる、これに伴い、ステップ８５００（図２１参照）にて受信済みの第１減コマンドに基づき、ステップ５０３１（図１２参照）における保留数のうち第１特別図柄変動保留数を「１」減算してなる第１特別図柄変動保留数が第１副特別図柄変動保留表示器１７０により表示される。
【０２５７】
例えば、ステップ５０３１（図１２参照）における保留数のうち第１特別図柄変動保留数が「４」であれば、第１特別図柄変動保留数が「３」（左側保留発光ダイオード１７２の点滅及び右側保留発光ダイオード１７２の点灯に対応）として、第１副特別図柄変動保留表示器１７０により表示される。これにより、第１副特別図柄変動保留表示器１７０の表示内容である第１特別図柄変動保留数が、上述した給電復帰後、初めて、正常な値になったことが、遊技者により視認され得る。
【０２５８】
また、ステップ８５００における判定がＮＯとなる場合には、次のステップ８６００において、第２減コマンドの受信か否かが判定される。ここで、主制御装置３００及び副制御装置４００への直流電源ＤＣからの給電復帰後、図１０のステップ９４１〜ステップ９４３の処理がなされた場合には、第１減コマンドが、主制御装置３００から副制御装置３００に出力される（図６の出力処理ルーチン４０００参照）。このため、ステップ８５００における判定はＹＥＳとなる。
【０２５９】
すると、次のステップ８６１０において、第２副特別図柄変動保留表示器の減点灯駆動処理がなされる、これに伴い、ステップ８６００（図２１参照）にて受信済みの第２減コマンドに基づき、ステップ５０３１（図１２参照）における保留数のうち第２特別図柄変動保留数を「１」減算してなる第２特別図柄変動保留数が第２副特別図柄変動保留表示器１８０により表示される。
【０２６０】
例えば、ステップ５０３１（図１２参照）における保留数のうち第２特別図柄変動保留数が「４」であれば、第２特別図柄変動保留数が「３」（左側保留発光ダイオード１８２の点滅及び右側保留発光ダイオード１８２の点灯に対応）として、第２副特別図柄変動保留表示器１８０により表示される。これにより、第２副特別図柄変動保留表示器１８０の表示内容である第２特別図柄変動保留数が、上述した給電復帰後、初めて、正常な値になったことが、遊技者により視認され得る。
【０２６１】
また、ステップ８６００における判定がＮＯとなる場合には、次のステップ８７００において、第３減コマンドの受信か否かが判定される。ここで、主制御装置３００及び副制御装置４００への直流電源ＤＣからの給電復帰後、図１１のステップ１２１０〜ステップ１２１２の処理がなされた場合には、第３減コマンドが、主制御装置３００から副制御装置３００に出力される（図６の出力処理ルーチン４０００参照）。このため、ステップ８７００における判定はＹＥＳとなる。
【０２６２】
すると、次のステップ８７１０において、副普通図柄変動保留表示器の減点灯駆動処理がなされる、これに伴い、ステップ８７００（図２１参照）にて受信済みの第３減コマンドに基づき、ステップ５０３１（図１２参照）における保留数のうち普通図柄変動保留数を「１」減算してなる普通図柄変動保留数が副普通図柄変動保留表示器１９０により表示される。
【０２６３】
例えば、ステップ５０３１（図１２参照）における保留数のうち普通図柄変動保留数が「４」であれば、普通図柄変動保留数が「３」（左側保留発光ダイオード１９２の点滅及び右側保留発光ダイオード１９２の点灯に対応）として、副普通図柄変動保留表示器１９０により表示される。これにより、副普通図柄変動保留表示器１９０の表示内容である副普通図柄変動保留数が、上述した給電復帰後、初めて、正常な値になったことが、遊技者により視認され得る。
【０２６４】
以上説明したように、本実施形態では、主制御装置３００により駆動制御される第１主特別図柄変動保留表示器１５０、第２主特別図柄変動保留表示器１６０及び主普通図柄変動保留表示器１４０が、それぞれ、複数の保留発光ダイオードでもって構成されるとともに、副制御装置４００の演出制御部４００ｂにより駆動制御される第１副特別図柄変動保留表示器１７０、第２副特別図柄変動保留表示器１８０及び副普通図柄変動保留表示器１９０が、それぞれ、同様に、複数の保留発光ダイオードでもって構成されている。
【０２６５】
このような前提において、当該パチンコ遊技機における直流電源ＤＣの給電遮断（電断）が発生すると、主制御装置３００、第１主特別図柄変動表示器１５０、第２主特別図柄変動保留表示器１６０及び主普通図柄変動表示器１４０、並びに副制御装置４００、第１副特別図柄変動表示器１７０、第２副特別図柄変動保留表示器１８０及び副普通図柄変動表示器１９０に対する直流電源ＤＣからの給電が遮断される。
【０２６６】
このため、主制御装置３００及び副制御装置４００が、その作動を停止するとともに、第１主特別図柄変動表示器１５０、第２主特別図柄変動保留表示器１６０、主普通図柄変動表示器１４０、第１副特別図柄変動表示器１７０、第２副特別図柄変動保留表示器１８０及び副普通図柄変動表示器１９０も、その各表示を停止する。
【０２６７】
このとき、主制御装置３００において、直流電源ＤＣからの給電遮断直前における第１特別図柄変動数、第２特別図柄変動数及び普通図柄変動数は、バックアップメモリ３９０ａによりバックアップされている（図１２参照）ものの、副制御装置４００では、第１特別図柄変動数、第２特別図柄変動数及び普通図柄変動数は、バックアップされていない。このため、副制御装置４００に対する直流電源ＤＣからの給電遮断でもって、当該副制御装置４００においては、第１特別図柄変動数、第２特別図柄変動数及び普通図柄変動数が、消滅する。
【０２６８】
従って、上述のように直流電源ＤＣからの給電が遮断することにより、当該パチンコホール内において、少なくとも、主制御装置３００、第１主特別図柄変動表示器１５０、第２主特別図柄変動保留表示器１６０、主普通図柄変動表示器１４０、副制御装置４００、第１副特別図柄変動表示器１７０、第２副特別図柄変動保留表示器１８０及び副普通図柄変動表示器１９０に対する電源系統に異常が発生した旨、遊技者は認識し得る。
【０２６９】
このような状態において、主制御装置３００、第１主特別図柄変動表示器１５０、第２主特別図柄変動保留表示器１６０、主普通図柄変動表示器１４０、副制御装置４００、第１副特別図柄変動表示器１７０、第２副特別図柄変動保留表示器１８０及び副普通図柄変動表示器１９０に対する直流電源ＤＣからの給電が復帰すると、これら制御装置３００、第１主特別図柄変動表示器１５０、第２主特別図柄変動保留表示器１６０、主普通図柄変動表示器１４０、副制御装置４００、第１副特別図柄変動表示器１７０、第２副特別図柄変動保留表示器１８０及び副普通図柄変動表示器１９０は、それぞれ、作動状態に復帰する。
【０２７０】
ここで、上述のように、直流電源ＤＣからの給電遮断直前における第１特別図柄変動数、第２特別図柄変動数及び普通図柄変動数は、バックアップメモリ３９０ａによりバックアップされているため、第１主特別図柄変動表示器１５０、第２主特別図柄変動保留表示器１６０及び主普通図柄変動表示器１４０は、その復帰作動の際、主制御装置３００による制御のもと、それぞれ、バックアップデータである第１特別図柄変動数、第２特別図柄変動数及び普通図柄変動数を表示する。
【０２７１】
一方、副制御装置４００においては、直流電源ＤＣからの給電遮断直前における第１特別図柄変動数、第２特別図柄変動数及び普通図柄変動数が、上述したように、バックアップされていない。このため、第１副特別図柄変動表示器１７０、第２副特別図柄変動保留表示器１８０及び副普通図柄変動表示器１９０は、復帰作動しても、第１特別図柄変動数、第２特別図柄変動数及び普通図柄変動数をリセット状態その他の初期状態で表示する。
【０２７２】
従って、上述した直流電源ＤＣからの給電復帰の際には、第１主特別図柄変動表示器１５０、第２主特別図柄変動保留表示器１６０及び主普通図柄変動表示器１４０の各表示内容だけが、給電遮断直前のバックアップデータでもって、正しく認識され得る。
【０２７３】
また、第１及び第２の副特別図柄変動保留表示器１７０、１８０及び副普通図柄変動保留表示器１９０は、特別図柄変動保留数及び普通図柄変動保留数の増減の表示を、主制御装置３００からの新たな図柄変動保留数増減コマンド、即ち、新たな増コマンド及び新たな減コマンド以外のコマンドに依ることなく当該新たな図柄変動保留数増減コマンドのみによって行う。従って、第１及び第２の副特別図柄変動保留表示器１７０、１８０及び副普通図柄変動保留表示器１９０による特別図柄変動保留数及び普通図柄変動保留数の増減の表示が、新たな図柄変動保留数増減コマンド、即ち、新たな増コマンド及び新たな減コマンドとは異なる他のコマンドに基づきなされることがない。その結果、上述した特別図柄変動保留数及び普通図柄変動保留数の増減の表示が常に正しくなされ得る。
【０２７４】
なお、本発明の実施にあたり、上記実施形態に限ることなく、例えば、上記実施形態にて述べた発光ダイオードは、これに限ることなく、ランプや蛍光放電管等の瞬時点灯可能な素子であってもよい。
【０２７５】
また、本発明の実施にあたり、上記実施形態では、主普通図柄変動保留表示器１４０、第１及び第２の主特別図柄変動保留表示器１５０及び１６０は、それぞれ、複数の発光ダイオードの点灯数でもって、普通図柄変動保留数及び特別図柄変動保留数を表示するようにしたが、これに代えて、主普通図柄変動保留表示器１４０、第１及び第２の主特別図柄変動保留表示器１５０及び１６０は、それぞれ、液晶表示器でもって、普通図柄変動保留数及び特別図柄変動保留数を具体的な数字にて表示するようにしてもよい。
【０２７６】
また、第１及び第２の副特別図柄変動保留表示器１７０及び１８０並びに副普通図柄変動保留表示器１９０は、それぞれ、複数の発光ダイオードの点灯数でもって、特別図柄変動保留数及び普通図柄変動保留数を表示するようにしたが、これに代えて、第１及び第２の副特別図柄変動保留表示器１７０及び１８０並びに副普通図柄変動保留表示器１９０は、それぞれ、液晶表示器でもって、特別図柄変動保留数及び普通図柄変動保留数を具体的な数字にて表示するようにしてもよい。
【符号の説明】
【０２７７】
Ｂａ…遊技盤、Ｇ…普通図柄変動保留数、Ｕａ…第１特別図柄変動保留数、
Ｕｂ…第２特別図柄変動保留数、５１…第１始動入賞口、６１…第２始動入賞口、
１１０…普通図柄表示器、１２０…第１特別図柄表示器、１３０…第２特別図柄表示器、
１４０…主普通図柄変動保留表示器、１５０…第１主特別図柄変動保留表示器、
１６０…第２主特別図柄変動保留表示器、１７０…第１副特別図柄変動保留表示器、
１８０…第２副特別図柄変動保留表示器、１９０…副普通図柄変動保留表示器、
２００…演出画像表示装置、３００…主制御装置、４００…副制御装置、
４００ｂ…演出制御部。
【図１】
2016209438.tif 000003
【図２】
2016209438.tif 000004
【図３】
2016209438.tif 000005
【図４】
2016209438.tif 000006
【図５】
2016209438.tif 000007
【図６】
2016209438.tif 000008
【図７】
2016209438.tif 000009
【図８】
2016209438.tif 000010
【図９】
2016209438.tif 000011
【図１０】
2016209438.tif 000012
【図１１】
2016209438.tif 000013
【図１２】
2016209438.tif 000014
【図１３】
2016209438.tif 000015
【図１４】
2016209438.tif 000016
【図１５】
2016209438.tif 000017
【図１６】
2016209438.tif 000018
【図１７】
2016209438.tif 000019
【図１８】
2016209438.tif 000020
【図１９】
2016209438.tif 000021
【図２０】
2016209438.tif 000022
【図２１】
2016209438.tif 000023
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
遊技球の入賞に伴い主図柄変動を表す図柄変動コマンドを発生する主制御手段と、
当該主制御手段からの前記図柄変動コマンドに基づき前記主図柄変動を表示する主図柄変動表示手段と、
副図柄変動を表示する副図柄変動表示手段と、
前記主制御手段からの前記図柄変動コマンドに基づき前記副図柄変動を表示するように前記副図柄変動表示手段を制御する副制御手段と、
少なくとも１つの瞬時点灯可能素子でもって構成されて、当該少なくとも１つの瞬時点灯可能素子でもって前記主図柄変動の保留数を主図柄変動保留数として表示する主図柄変動保留表示手段と、
少なくとも１つの瞬時点灯可能素子でもって構成されて、当該少なくとも１つの瞬時点灯可能素子でもって前記副図柄変動の保留数を副図柄変動保留数として表示する副図柄変動保留表示手段と、
バックアップ手段と、
電源手段と
前記主制御手段及び前記副制御手段への前記電源手段による給電の遮断か否かを判定する判定手段とを備えて、
前記主図柄変動表示手段は、その前記主図柄変動の表示中に新たな遊技球が入賞したとき前記主制御手段から出力される図柄変動保留コマンドに基づき前記新たな入賞球に対応する新たな主図柄変動の表示を保留し、
前記主図柄変動保留表示手段は、前記新たな遊技球の入賞に伴う前記主図柄変動保留数の増加に伴い前記主制御手段から出力される図柄変動保留数増コマンドに基づき前記増加後の主図柄変動保留数を表示し、或いは前記主図柄変動保留の消化による前記主図柄変動保留数の減少に伴い前記主制御手段から出力される図柄変動保留数減コマンドに基づき前記減少後の主図柄変動保留数を表示し、
前記副図柄変動表示手段は、前記副制御手段による制御のもと、前記主制御手段からの前記図柄変動保留コマンドに基づき新たな副図柄変動の表示を保留し、
前記副図柄変動保留表示手段は、前記副制御手段による制御のもと、前記主制御手段からの前記図柄変動保留数増コマンドに基づき増加する前記副図柄変動保留数の当該増加後の副図柄変動保留数を表示し、或いは前記副図柄変動の保留の消化に伴う前記主制御手段からの前記図柄変動保留数減コマンドに基づき減少する前記副図柄変動保留数の当該減少後の副図柄変動保留数を表示し、
前記バックアップ手段は、前記主制御手段及び前記副制御手段への前記電源手段による給電の遮断か否かの前記判定手段による判定の直前ごとに、前記主図柄変動保留数をバックアップし、
前記主制御手段及び前記副制御手段への電源手段による給電の遮断と前記判定手段により判定された後前記電源手段による給電の復帰の際には、前記主図柄変動保留表示手段は、前記主制御手段による制御のもと、前記判定手段により前記電源手段による給電の遮断と判定される直前に前記バックアップ手段にバックアップ済みの前記主図柄変動保留数を表示し、一方、前記副図柄変動保留表示手段は、前記副制御手段による制御のもと、初期化状態にて表示し、
然る後は、前記主図柄変動保留表示手段は、前記主制御手段から出力される新たな図柄変動保留数増コマンドのみに基づき前記バックアップ手段にバックアップ済みの前記主図柄変動保留数から増加する当該増加後の主図柄変動保留数を表示し、或いは前記主図柄変動保留の消化に伴い前記主制御手段から出力される新たな図柄変動保留数減コマンドのみに基づき前記バックアップ手段にバックアップ済みの前記主図柄変動保留数から減少する当該減少後の主図柄変動保留数を表示し、
一方、前記副図柄変動保留表示手段は、前記副制御手段による制御のもと、前記主制御手段からの前記新たな図柄変動保留数増コマンドのみに基づき前記バックアップ手段にバックアップ済みの前記主図柄変動保留数から増加する当該増加後の主図柄変動保留数を前記副図柄変動保留数として表示し、或いは当該副図柄変動保留数の前記副図柄変動の消化に伴う減少に基づき当該減少後の副図柄変動保留数を表示するようにした遊技機。
【手続補正２】
【補正対象書類名】明細書
【補正対象項目名】０００７
【補正方法】変更
【補正の内容】
【０００７】
上記課題の解決にあたり、本発明に係る遊技機は、請求項１の記載によれば、
遊技球の入賞に伴い主図柄変動を表す図柄変動コマンドを発生する主制御手段（３００）と、
当該主制御手段（３００）からの上記図柄変動コマンドに基づき上記主図柄変動を表示する主図柄変動表示手段（１１０、１２０、１３０）と、
副図柄変動を表示する副図柄変動表示手段（２００）と、
主制御手段からの上記図柄変動コマンドに基づき上記副図柄変動を表示するように副図柄変動表示手段（２００）を制御する副制御手段（４００）と、
少なくとも１つの瞬時点灯可能素子でもって構成されて、当該少なくとも１つの瞬時点灯可能素子でもって上記主図柄変動の保留数を主図柄変動保留数として表示する主図柄変動保留表示手段（１４０、１５０、１６０）と、
少なくとも１つの瞬時点灯可能素子でもって構成されて、当該少なくとも１つの瞬時点灯可能素子でもって上記副図柄変動の保留数を副図柄変動保留数として表示する副図柄変動保留表示手段（１７０、１８０、１９０）と、
バックアップ手段（３９０ａ）と、
電源手段（ＤＣ）と
主制御手段及び副制御手段への電源手段による給電の遮断か否かを判定する判定手段（５０６０）とを備えて、
主図柄変動表示手段は、その上記主図柄変動の表示中に新たな遊技球が入賞したとき主制御手段から出力される図柄変動保留コマンドに基づき上記新たな入賞球に対応する新たな主図柄変動の表示を保留し、
主図柄変動保留表示手段は、上記新たな遊技球の入賞に伴う上記主図柄変動保留数の増加に伴い主制御手段から出力される図柄変動保留数増コマンドに基づき上記増加後の主図柄変動保留数を表示し、或いは上記主図柄変動保留の消化による上記主図柄変動保留数の減少に伴い主制御手段から出力される図柄変動保留数減コマンドに基づき上記減少後の主図柄変動保留数を表示し、
副図柄変動表示手段は、副制御手段による制御のもと、主制御手段からの上記図柄変動保留コマンドに基づき新たな副図柄変動の表示を保留し、
副図柄変動保留表示手段は、副制御手段による制御のもと、主制御手段からの上記図柄変動保留数増コマンドに基づき増加する上記副図柄変動保留数の当該増加後の副図柄変動保留数を表示し、或いは上記副図柄変動の保留の消化に伴う主制御手段からの上記図柄変動保留数減コマンドに基づき減少する上記副図柄変動保留数の当該減少後の副図柄変動保留数を表示し、
バックアップ手段は、主制御手段及び副制御手段への電源手段による給電の遮断か否かの判定手段による判定の直前ごとに、上記主図柄変動保留数をバックアップし、
主制御手段及び副制御手段への電源手段による給電の遮断と判定手段により判定された後電源手段による給電の復帰の際には、主図柄変動保留表示手段は、主制御手段による制御のもと、判定手段により電源手段による給電の遮断と判定される直前にバックアップ手段にバックアップ済みの上記主図柄変動保留数を表示し、一方、副図柄変動保留表示手段は、副制御手段による制御のもと、初期化状態にて表示する。
然る後は、主図柄変動保留表示手段は、主制御手段から出力される新たな図柄変動保留数増コマンドのみに基づきバックアップ手段にバックアップ済みの上記主図柄変動保留数から増加する当該増加後の主図柄変動保留数を表示し、或いは上記主図柄変動保留の消化に伴い主制御手段から出力される新たな図柄変動保留数減コマンドのみに基づきバックアップ手段にバックアップ済みの上記主図柄変動保留数から減少する当該減少後の主図柄変動保留数を表示し、
一方、副図柄変動保留表示手段は、副制御手段による制御のもと、主制御手段からの上記新たな図柄変動保留数増コマンドのみに基づきバックアップ手段にバックアップ済みの上記主図柄変動保留数から増加する当該増加後の主図柄変動保留数を上記副図柄変動保留数として表示し、或いは当該副図柄変動保留数の上記副図柄変動の消化に伴う減少に基づき当該減少後の副図柄変動保留数を表示するようにした。
【手続補正３】
【補正対象書類名】明細書
【補正対象項目名】０００８
【補正方法】変更
【補正の内容】
【０００８】
これにより、判定手段が、主制御手段及び副制御手段への電源手段による給電の遮断と判定した後、主制御手段及び副制御手段への電源手段による給電が復帰した際には、主図柄変動保留表示手段は、主制御手段により制御されて、判定手段により電源手段による給電の遮断と判定される直前にバックアップ手段にバックアップ済みの主図柄変動保留数を表示する。従って、遊技者は、電源手段による給電の遮断後の復帰にもかかわらず、当該給電の遮断の直前の主図柄変動保留数を、正しく、主図柄変動保留表示手段の表示内容から知ることができる。
一方、電源手段による給電がその遮断後復帰したとき、副図柄変動保留表示手段は、副制御手段により制御されて、主図柄変動保留表示手段とは異なり、初期化状態にて表示する。このように、電源手段による給電の遮断後の復帰したとき、副図柄変動保留表示手段の表示内容は初期化されているため、副図柄変動保留表示手段によっては、遊技者は、電源手段による給電遮断直前の主図柄変動保留数を、正しく、知ることができない。
以上によれば、主制御手段及び副制御手段への電源手段による給電の遮断後の復帰の際には、上述した給電の遮断の直前にバックアップ手段にバックアップ済みの主図柄変動保留数が主図柄変動保留表示手段により表示され、一方、副図柄変動保留表示手段の表示内容は初期化される。従って、遊技者は、電源手段による給電の遮断にもかかわらず、当該給電の復帰の際には、電源手段による給電の遮断直前における主図柄変動保留数を主図柄変動保留表示手段による表示内容でもって正しく認識し得るとともに、副図柄変動保留表示手段の初期化された表示内容でもって、電源手段による給電遮断に起因した異常状態を視認し得る。
また、上述のように電源手段による給電が復帰した後においては、主図柄変動保留表示手段は、主制御手段から出力される新たな図柄変動保留数増コマンドのみに基づきバックアップ手段にバックアップ済みの主図柄変動保留数から増加する当該増加後の主図柄変動保留数を表示し、或いは主図柄変動保留の消化に伴い主制御手段から出力される新たな図柄変動保留数減コマンドのみに基づきバックアップ手段にバックアップ済みの主図柄変動保留数から減少する当該減少後の主図柄変動保留数を表示する。
これにより、電源手段による給電が復帰した後の主図柄変動保留数の増加或いは減少も、主図柄変動保留表示手段の表示内容でもって、正しく、遊技者により認識され得る。
一方、上述のように電源手段による給電が復帰した後においては、副図柄変動保留表示手段は、副制御手段により制御されて、主制御手段からの新たな図柄変動保留数増コマンドのみに基づきバックアップ手段にバックアップ済みの主図柄変動保留数から増加する当該増加後の主図柄変動保留数を副図柄変動保留数として表示し、また、当該副図柄変動保留数の副図柄変動の消化に伴う減少に基づき当該減少後の副図柄変動保留数を表示する。
このように、電源手段による給電が復帰した後においては、副図柄変動保留表示手段が、副図柄変動保留数の増加の際には、バックアップ手段にバックアップ済みの主図柄変動保留数を基準とした副図柄変動保留数の増加でもって表示し、また、当該増加に係る副図柄変動保留数の減少でもって副図柄変動の消化を表示するようにした。従って、遊技者は、上述した給電の復帰後の副図柄変動保留数の増加或いは減少でもって、初めて、上述した給電の遮断直前にバックアップ手段にバックアップ済みの主図柄変動保留数を含めて正しく認識し得る。
【手続補正４】
【補正対象書類名】明細書
【補正対象項目名】０００９
【補正方法】変更
【補正の内容】
【０００９】
ここで、副図柄変動保留表示手段は、副図柄変動保留数の増後の表示或いは副図柄変動保留数の減少後の表示を、主制御手段からの新たな図柄変動保留数増コマンド或いは新たな図柄変動保留数減コマンドのみによって行う。従って、副図柄変動保留表示手段による図柄変動保留数の増減後の表示が、新たな図柄変動保留数増コマンド及び新たな図柄変動保留数減コマンドとは異なる他のコマンドに基づきなされることがない。その結果、上述した主図柄変動保留数の表示だけでなく、副図柄変動保留数の増減後の表示が、電源手段による給電が復帰した後においては、常に正しくなされ得る。
【手続補正５】
【補正対象書類名】明細書
【補正対象項目名】００１１
【補正方法】変更
【補正の内容】
【００１１】
本発明によれば、主制御手段及び副制御手段への電源手段による給電の遮断後の復帰の際には、遊技者は、電源手段による給電の遮断後の復帰の際には、電源手段による給電の遮断直前における主図柄変動保留数を主図柄変動保留表示手段による表示内容でもって正しく認識し得るとともに、副図柄変動保留表示手段の初期化された表示内容でもって、電源手段による給電遮断に起因した異常状態を視認し得る。
また、電源手段による給電が復帰した後においては、電源手段による給電が復帰した後の主図柄変動保留数の増加或いは減少は、主図柄変動保留表示手段の表示内容でもって、正しく、遊技者により認識され得る。一方、遊技者は、上述した給電の復帰後の副図柄変動保留数の増加或いは減少でもって、初めて、上述した給電の遮断直前にバックアップ手段にバックアップ済みの主図柄変動保留数を含めて正しく認識し得る。
ここで、副図柄変動保留数の増後の表示或いは副図柄変動保留数の減少後の表示が、主制御手段からの新たな図柄変動保留数増コマンド或いは新たな図柄変動保留数減コマンドのみによって行われるので、副図柄変動保留数の増減後の表示が、電源手段による給電が復帰した後においては、常に正しくなされ得る。
【手続補正６】
【補正対象書類名】明細書
【補正対象項目名】０２２６
【補正方法】変更
【補正の内容】
【０２２６】
ここで、上記主給電復帰割り込みプログラムの実行は、ソフトタイマー３７０の第２主タイマー部から第２パルス信号の発生ごとに繰り返される。なお、上記第２主タイマー部は、直流電源ＤＣから主制御装置３００への給電の復帰に伴い、リセット起動されて、経時を開始する。
【手続補正７】
【補正対象書類名】明細書
【補正対象項目名】０２２７
【補正方法】変更
【補正の内容】
【０２２７】
また、上記副給電復帰割り込みプログラムの実行は、ソフトタイマー４２８の第２副タイマー部からの第２パルス信号の発生ごとに繰り返される。なお、上記第２副タイマー部は、直流電源ＤＣから副制御装置４００への給電の復帰に伴い、リセット起動されて、経時を開始する。
【手続補正８】
【補正対象書類名】明細書
【補正対象項目名】０２５３
【補正方法】変更
【補正の内容】
【０２５３】
これに伴い、ステップ８４１０において副普通図柄変動保留表示器の増点灯駆動処理がなされる。ここでは、ステップ５１３１（図１３参照）にて出力済みの第３増コマンドに基づき、ステップ５０３１（図１２参照）における保留数のうち普通図柄変動保留数に「１」加算された値である普通図柄変動保留数が副普通図柄変動保留表示器１９０により表示される。
【手続補正９】
【補正対象書類名】明細書
【補正対象項目名】０２５８
【補正方法】変更
【補正の内容】
【０２５８】
また、ステップ８５００における判定がＮＯとなる場合には、次のステップ８６００において、第２減コマンドの受信か否かが判定される。ここで、主制御装置３００及び副制御装置４００への直流電源ＤＣからの給電復帰後、図１０のステップ９４１〜ステップ９４３の処理がなされた場合には、第１減コマンドが、主制御装置３００から副制御装置３００に出力される（図６の出力処理ルーチン４０００参照）。このため、ステップ８６００における判定はＹＥＳとなる。
【手続補正１０】
【補正対象書類名】図面
【補正対象項目名】図２０
【補正方法】変更
【補正の内容】
【図２０】
2016209438.tif 000024